(57)【特許請求の範囲】
【請求項１】
制御部と記憶部とを少なくとも備えたナビゲーションサーバ、および、出力部と制御部とを少なくとも備えた端末装置、を通信可能に接続したナビゲーションシステムであって、
上記ナビゲーションサーバの上記記憶部は、
交通機関の路線上の停留地点を結ぶ区間毎に対応付けられた上記交通機関の属性情報を少なくとも含む、交通網を規定するネットワークデータを記憶するネットワークデータ記憶手段、
を備え、
上記ナビゲーションサーバの上記制御部は、
上記端末装置から送信される少なくとも出発地と目的地とを含む経路探索条件を満たす上記出発地から上記目的地までの経路である案内経路を、上記ネットワークデータ記憶手段に記憶された上記ネットワークデータを用いて探索し、案内経路データを生成する案内経路探索手段と、
上記案内経路探索手段により探索された上記案内経路上の乗車地点から次の上記停留地点までの上記区間に対応する上記属性情報を上記ネットワークデータ記憶手段から抽出する属性情報抽出手段と、
上記案内経路データと、上記属性情報抽出手段により抽出された上記属性情報と、を少なくとも含む経路案内情報を上記端末装置に送信する経路案内情報送信手段と、
を備え、
上記端末装置の上記制御部は、
上記ナビゲーションサーバから送信される上記経路案内情報を受信する経路案内情報受信手段と、
上記経路案内情報受信手段により受信された上記経路案内情報を上記出力部を介して出力させることにより、経路案内を実行する経路案内手段と、
を備えたことを特徴とする、ナビゲーションシステム。
【請求項２】
請求項１に記載のナビゲーションシステムにおいて、
上記交通機関の上記属性情報は、
上記交通機関の種別を含むことを特徴とする、ナビゲーションシステム。
【請求項３】
請求項１または２に記載のナビゲーションシステムにおいて、
上記交通機関の上記属性情報は、
上記交通機関の行先情報を含むことを特徴とする、ナビゲーションシステム。
【請求項４】
請求項１から３のいずれか一つに記載のナビゲーションシステムにおいて、
上記ネットワークデータは、
更に、上記停留地点における上記交通機関の発着時刻を含み、
上記経路探索条件は、
更に、出発時刻または到着時刻を含み、
上記案内経路探索手段は、
上記端末装置から送信される少なくとも上記出発地と上記目的地と上記出発時刻または上記到着時刻とを含む上記経路探索条件を満たす上記出発地から上記目的地までの上記経路である上記案内経路を、上記ネットワークデータ記憶手段に記憶された上記ネットワークデータを用いて、上記出発時刻または上記到着時刻に対応する上記ネットワークデータに含まれる上記発着時刻に基づき探索し、上記案内経路データを生成し、
上記経路案内情報送信手段は、
上記案内経路データと、上記属性情報抽出手段により抽出された上記属性情報と、上記案内経路上の上記交通機関の上記乗車地点である上記停留地点における上記発着時刻と、を少なくとも含む上記経路案内情報を上記端末装置に送信することを特徴とする、ナビゲーションシステム。
【請求項５】
請求項１から３のいずれか一つに記載のナビゲーションシステムにおいて、
上記ネットワークデータは、
更に、上記路線の名称と、上記交通機関の最終行先情報と、上記停留地点の名称と、を含み、
上記経路案内情報は、
更に、上記路線の名称と、上記交通機関の最終行先情報と、上記乗車地点である上記停留地点の上記名称と、を含むことを特徴とする、ナビゲーションシステム。
【請求項６】
ナビゲーションサーバに通信可能に接続された、出力部と制御部とを少なくとも備えた端末装置であって、
上記制御部は、
少なくとも出発地と目的地とを含む経路探索条件を上記ナビゲーションサーバに送信する経路探索条件送信手段と、
上記ナビゲーションサーバから送信される、上記経路探索条件を満たす上記出発地から上記目的地までの案内経路の案内経路データと、上記案内経路上の上記交通機関の路線上の乗車地点から次の停留地点までの区間に対応付けられた上記交通機関の属性情報と、を少なくとも含む経路案内情報を受信する経路案内情報受信手段と、
上記経路案内情報受信手段により受信された上記経路案内情報を上記出力部を介して出力させることにより、経路案内を実行する経路案内手段と、
を備えたことを特徴とする、端末装置。
【請求項７】
出力部を少なくとも備えた端末装置に通信可能に接続された、制御部と記憶部とを少なくとも備えたナビゲーションサーバであって、
上記記憶部は、
交通機関の路線上の停留地点を結ぶ区間毎に対応付けられた上記交通機関の属性情報を少なくとも含む、交通網を規定するネットワークデータを記憶するネットワークデータ記憶手段、
を備え、
上記制御部は、
上記端末装置から送信される少なくとも出発地と目的地とを含む経路探索条件を満たす上記出発地から上記目的地までの経路である案内経路を、上記ネットワークデータ記憶手段に記憶された上記ネットワークデータを用いて探索し、案内経路データを生成する案内経路探索手段と、
上記案内経路探索手段により探索された上記案内経路上の乗車地点から次の上記停留地点までの上記区間に対応する上記属性情報を上記ネットワークデータ記憶手段から抽出する属性情報抽出手段と、
上記案内経路データと、上記属性情報抽出手段により抽出された上記属性情報と、を少なくとも含む経路案内情報に基づく表示画面を生成する経路案内表示画面生成手段と、
上記表示画面を含む経路案内制御情報を上記端末装置へ送信することにより、当該端末装置の上記出力部を介して当該経路案内制御情報を出力させる経路案内制御手段と、
を備えたことを特徴とする、ナビゲーションサーバ。
【請求項８】
出力部と制御部と記憶部とを少なくとも備えたナビゲーション装置であって、
上記記憶部は、
交通機関の路線上の停留地点を結ぶ区間毎に対応付けられた上記交通機関の属性情報を少なくとも含む、交通網を規定するネットワークデータを記憶するネットワークデータ記憶手段、
を備え、
上記制御部は、
少なくとも出発地と目的地とを含む経路探索条件を満たす上記出発地から上記目的地までの案内経路を、上記ネットワークデータ記憶手段に記憶された上記ネットワークデータを用いて探索し、案内経路データを生成する案内経路探索手段と、
上記案内経路探索手段により探索された上記案内経路上の乗車地点から次の上記停留地点までの上記区間に対応する上記属性情報を上記ネットワークデータ記憶手段から抽出する属性情報抽出手段と、
上記案内経路データと、上記属性情報抽出手段により抽出された上記属性情報と、を少なくとも含む経路案内情報を上記出力部を介して出力させることにより、経路案内を実行する経路案内手段と、
を備えたことを特徴とする、ナビゲーション装置。
【請求項９】
制御部と記憶部とを少なくとも備えたナビゲーションサーバ、および、出力部と制御部とを少なくとも備えた端末装置、を通信可能に接続したナビゲーションシステムにおいて実行されるナビゲーション方法であって、
上記ナビゲーションサーバの上記記憶部は、
交通機関の路線上の停留地点を結ぶ区間毎に対応付けられた上記交通機関の属性情報を少なくとも含む、交通網を規定するネットワークデータを記憶するネットワークデータ記憶手段、
を備え、
上記ナビゲーションサーバの上記制御部において実行される、上記端末装置から送信される少なくとも出発地と目的地とを含む経路探索条件を満たす上記出発地から上記目的地までの経路である案内経路を、上記ネットワークデータ記憶手段に記憶された上記ネットワークデータを用いて探索し、案内経路データを生成する案内経路探索ステップと、
上記ナビゲーションサーバの上記制御部において実行される、上記案内経路探索ステップにて探索された上記案内経路上の乗車地点から次の上記停留地点までの上記区間に対応する上記属性情報を上記ネットワークデータ記憶手段から抽出する属性情報抽出ステップと、
上記ナビゲーションサーバの上記制御部において実行される、上記案内経路データと、上記属性情報抽出ステップにて抽出された上記属性情報と、を少なくとも含む経路案内情報を上記端末装置に送信する経路案内情報送信ステップと、
上記端末装置の上記制御部において実行される、上記ナビゲーションサーバから送信される上記経路案内情報を受信する経路案内情報受信ステップと、
上記端末装置の上記制御部において実行される、上記経路案内情報受信ステップにて受信された上記経路案内情報を上記出力部を介して出力させることにより、経路案内を実行する経路案内ステップと、
を含むことを特徴とする、ナビゲーション方法。
【請求項１０】
ナビゲーションサーバに通信可能に接続された、出力部と制御部とを少なくとも備えた端末装置において実行されるナビゲーション方法であって、
上記制御部において実行される、
少なくとも出発地と目的地とを含む経路探索条件を上記ナビゲーションサーバに送信する経路探索条件送信ステップと、
上記ナビゲーションサーバから送信される、上記経路探索条件を満たす上記出発地から上記目的地までの案内経路の案内経路データと、上記案内経路上の上記交通機関の路線上の乗車地点から次の停留地点までの区間に対応付けられた上記交通機関の属性情報と、を少なくとも含む経路案内情報を受信する経路案内情報受信ステップと、
上記経路案内情報受信ステップにて受信された上記経路案内情報を上記出力部を介して出力させることにより、経路案内を実行する経路案内ステップと、
を含むことを特徴とする、ナビゲーション方法。
【請求項１１】
出力部を少なくとも備えた端末装置に通信可能に接続された、制御部と記憶部とを少なくとも備えたナビゲーションサーバにおいて実行されるナビゲーション方法であって、
上記記憶部は、
交通機関の路線上の停留地点を結ぶ区間毎に対応付けられた上記交通機関の属性情報を少なくとも含む、交通網を規定するネットワークデータを記憶するネットワークデータ記憶手段、
を備え、
上記制御部において実行される、
上記端末装置から送信される少なくとも出発地と目的地とを含む経路探索条件を満たす上記出発地から上記目的地までの経路である案内経路を、上記ネットワークデータ記憶手段に記憶された上記ネットワークデータを用いて探索し、案内経路データを生成する案内経路探索ステップと、
上記案内経路探索ステップにて探索された上記案内経路上の乗車地点から次の上記停留地点までの上記区間に対応する上記属性情報を上記ネットワークデータ記憶手段から抽出する属性情報抽出ステップと、
上記案内経路データと、上記属性情報抽出ステップにて抽出された上記属性情報と、を少なくとも含む経路案内情報に基づく表示画面を生成する経路案内表示画面生成ステップと、
上記表示画面を含む経路案内制御情報を上記端末装置へ送信することにより、当該端末装置の上記出力部を介して当該経路案内制御情報を出力させる経路案内制御ステップと、
を含むことを特徴とする、ナビゲーション方法。
【請求項１２】
出力部と制御部と記憶部とを少なくとも備えたナビゲーション装置において実行されるナビゲーション方法であって、
上記記憶部は、
交通機関の路線上の停留地点を結ぶ区間毎に対応付けられた上記交通機関の属性情報を少なくとも含む、交通網を規定するネットワークデータを記憶するネットワークデータ記憶手段、
を備え、
上記制御部において実行される、
少なくとも出発地と目的地とを含む経路探索条件を満たす上記出発地から上記目的地までの案内経路を、上記ネットワークデータ記憶手段に記憶された上記ネットワークデータを用いて探索し、案内経路データを生成する案内経路探索ステップと、
上記案内経路探索ステップにて探索された上記案内経路上の乗車地点から次の上記停留地点までの上記区間に対応する上記属性情報を上記ネットワークデータ記憶手段から抽出する属性情報抽出ステップと、
上記案内経路データと、上記属性情報抽出ステップにて抽出された上記属性情報と、を少なくとも含む経路案内情報を上記出力部を介して出力させることにより、経路案内を実行する経路案内ステップと、
を含むことを特徴とする、ナビゲーション方法。
【請求項１３】
端末装置に通信可能に接続された、制御部と記憶部とを少なくとも備えたナビゲーションサーバに実行させるためのプログラムであって、
上記記憶部は、
交通機関の路線上の停留地点を結ぶ区間毎に対応付けられた上記交通機関の属性情報を少なくとも含む、交通網を規定するネットワークデータを記憶するネットワークデータ記憶手段、
を備え、
上記制御部において、
上記端末装置から送信される少なくとも出発地と目的地とを含む経路探索条件を満たす上記出発地から上記目的地までの経路である案内経路を、上記ネットワークデータ記憶手段に記憶された上記ネットワークデータを用いて探索し、案内経路データを生成する案内経路探索ステップと、
上記案内経路探索ステップにて探索された上記案内経路上の乗車地点から次の上記停留地点までの上記区間に対応する上記属性情報を上記ネットワークデータ記憶手段から抽出する属性情報抽出ステップと、
上記案内経路データと、上記属性情報抽出ステップにて抽出された上記属性情報と、を少なくとも含む経路案内情報を上記端末装置に送信する経路案内情報送信ステップと、
を実行させるためのプログラム。
【請求項１４】
ナビゲーションサーバに通信可能に接続された、出力部と制御部とを少なくとも備えた端末装置に実行させるためのプログラムであって、
上記制御部において、
少なくとも出発地と目的地とを含む経路探索条件を上記ナビゲーションサーバに送信する経路探索条件送信ステップと、
上記ナビゲーションサーバから送信される、上記経路探索条件を満たす上記出発地から上記目的地までの案内経路の案内経路データと、上記案内経路上の交通機関の路線上の乗車地点から次の停留地点までの区間に対応付けられた上記交通機関の属性情報と、を少なくとも含む経路案内情報を受信する経路案内情報受信ステップと、
上記経路案内情報受信ステップにて受信された上記経路案内情報を上記出力部を介して出力させることにより、経路案内を実行する経路案内ステップと、
を実行させるためのプログラム。
【請求項１５】
出力部を少なくとも備えた端末装置に通信可能に接続された、制御部と記憶部とを少なくとも備えたナビゲーションサーバに実行させるためのプログラムであって、
上記記憶部は、
交通機関の路線上の停留地点を結ぶ区間毎に対応付けられた上記交通機関の属性情報を少なくとも含む、交通網を規定するネットワークデータを記憶するネットワークデータ記憶手段、
を備え、
上記制御部において、
上記端末装置から送信される少なくとも出発地と目的地とを含む経路探索条件を満たす上記出発地から上記目的地までの経路である案内経路を、上記ネットワークデータ記憶手段に記憶された上記ネットワークデータを用いて探索し、案内経路データを生成する案内経路探索ステップと、
上記案内経路探索ステップにて探索された上記案内経路上の乗車地点から次の上記停留地点までの上記区間に対応する上記属性情報を上記ネットワークデータ記憶手段から抽出する属性情報抽出ステップと、
上記案内経路データと、上記属性情報抽出ステップにて抽出された上記属性情報と、を少なくとも含む経路案内情報に基づく表示画面を生成する経路案内表示画面生成ステップと、
上記表示画面を含む経路案内制御情報を上記端末装置へ送信することにより、当該端末装置の上記出力部を介して当該経路案内制御情報を出力させる経路案内制御ステップと、
を実行させるためのプログラム。
【請求項１６】
出力部と制御部と記憶部とを少なくとも備えたナビゲーション装置に実行させるためのプログラムであって、
上記記憶部は、
交通機関の路線上の停留地点を結ぶ区間毎に対応付けられた上記交通機関の属性情報を少なくとも含む、交通網を規定するネットワークデータを記憶するネットワークデータ記憶手段、
を備え、
上記制御部において、
少なくとも出発地と目的地とを含む経路探索条件を満たす上記出発地から上記目的地までの案内経路を、上記ネットワークデータ記憶手段に記憶された上記ネットワークデータを用いて探索し、案内経路データを生成する案内経路探索ステップと、
上記案内経路探索ステップにて探索された上記案内経路上の乗車地点から次の上記停留地点までの上記区間に対応する上記属性情報を上記ネットワークデータ記憶手段から抽出する属性情報抽出ステップと、
上記案内経路データと、上記属性情報抽出ステップにて抽出された上記属性情報と、を少なくとも含む経路案内情報を上記出力部を介して出力させることにより、経路案内を実行する経路案内ステップと、
を実行させるためのプログラム。
【発明の詳細な説明】
【技術分野】
【０００１】
本発明は、ナビゲーションシステム、端末装置、ナビゲーションサーバ、ナビゲーション装置、ナビゲーション方法、および、プログラムに関する。
【背景技術】
【０００２】
従来から、時刻表データ等の交通情報に基づいて経路案内を行う技術が開示されている。
【０００３】
例えば、特許文献１に記載のナビゲーションシステムにおいては、ナビゲーションサーバに一般的な時刻表データが保持されており、携帯ナビゲーション装置のユーザの現在位置に基づいて当該時刻表データを検索し、当該ユーザが乗車している可能性のある交通機関の候補をリストアップして携帯ナビゲーション装置へ送信することでユーザに交通機関を選択させ、当該選択に基づく経路案内を行う技術が開示されている。ここで、一般的な時刻表データとは、例えば、路線を分類するための形式的な種別（例えば、特急、急行、普通等）、最終行先情報、路線上の停留地点（例えば、駅、バス停等）の名称、および、電車の発着時刻等の列車運行を把握するのに必要最低限の情報を含んだデータである。
【先行技術文献】
【特許文献】
【０００４】
【特許文献１】特開２００６−４４３２８号公報
【発明の概要】
【発明が解決しようとする課題】
【０００５】
しかしながら、実際の交通機関の運行において、書籍等に記載された時刻表において「準急」等の単一の列車種別が表記されていても、実際の列車表示において途中駅から各駅に停車するような停車パターンの場合、当該途中駅からの区間にて「各停」と表記または種別名称を無表記にして運転を行うことがある。また、時刻表において最終行先のみが表記されていても、循環路線を通るバス等の場合、始発地点から経由地までの区間と経由地から終着地点までの区間とで車両に表示される行先表示が変更されることがある。しかしながら、特許文献１に記載のナビゲーションシステムにおいては、「どんな交通機関で、どこまで行くのか」を知らせるための書籍等に記載された時刻表の形態を基本とする時刻表データは保持されているが、路線上の各区間で「どのように案内しているか」について知らせるための情報、すなわち、路線の途中で変更される種別や行先の情報は保持されていなかった。これにより、特許文献１に記載のナビゲーションシステムにおいては、区間種別や区間行先等の設定がされている路線で運行時に車両に表示される種別や行先には対応することができず、経路探索結果として携帯ナビゲーション装置に表示される情報が、実際の車両に表示されている情報と異なるという問題点を有していた。これにより、携帯ナビゲーション装置にて経路探索結果を見たユーザは、経路探索結果の電車の種別名称と実際の列車に表示されている種別名称が異なることで、不安を増幅させてしまうという問題点を有していた。
【０００６】
また、特許文献１に記載のナビゲーションシステムにおいては、従来の時刻表データを優等列車（通過駅がある）区間と各駅に停車する区間に分割し、両者が直通しているという情報を与えることにより列車運用上の表記に対応することも可能であるが、分割した複数のデータをまたいだ検索には、１つの塊であるデータに対する検索よりも検索ステップが増え、検索時間が増大してしまうという問題点も有していた。これにより、特許文献１に記載のナビゲーションシステムにおいては、駅のホームなど列車に近い位置で検索することが多い携帯ナビゲーション装置のユーザが限られた時間や情報の中で目前の列車に乗ってよいかどうかを即座に判断する必要がある場合、当該ユーザに検索時間の増大による煩わしさを与えてしまうという問題点も有していた。
【０００７】
本発明は、上記問題点に鑑みてなされたもので、実際の交通機関にて表示される種別や行先等の表示内容と一致させた当該交通機関の属性情報を保持しておくことで、交通機関の始発地点から終着地点までの間の区間で当該表示内容が変化する場合、交通機関の表示内容とユーザが閲覧する画面に表示される表示内容を一致させることができるナビゲーションシステム、端末装置、ナビゲーションサーバ、ナビゲーション装置、ナビゲーション方法、および、プログラムを提供することを目的とする。
【課題を解決するための手段】
【０００８】
このような目的を達成するため、本発明のナビゲーションシステムは、制御部と記憶部とを少なくとも備えたナビゲーションサーバ、および、出力部と制御部とを少なくとも備えた端末装置、を通信可能に接続したナビゲーションシステムであって、上記ナビゲーションサーバの上記記憶部は、交通機関の路線上の停留地点を結ぶ区間毎に対応付けられた上記交通機関の属性情報を少なくとも含む、交通網を規定するネットワークデータを記憶するネットワークデータ記憶手段、を備え、上記ナビゲーションサーバの上記制御部は、上記端末装置から送信される少なくとも出発地と目的地とを含む経路探索条件を満たす上記出発地から上記目的地までの経路である案内経路を、上記ネットワークデータ記憶手段に記憶された上記ネットワークデータを用いて探索し、案内経路データを生成する案内経路探索手段と、上記案内経路探索手段により探索された上記案内経路上の上記交通機関の乗降地点である上記停留地点に対応する上記属性情報を上記ネットワークデータ記憶手段から抽出する属性情報抽出手段と、上記案内経路データと、上記属性情報抽出手段により抽出された上記属性情報と、を少なくとも含む経路案内情報を上記端末装置に送信する経路案内情報送信手段と、を備え、上記端末装置の上記制御部は、上記ナビゲーションサーバから送信される上記経路案内情報を受信する経路案内情報受信手段と、上記経路案内情報受信手段により受信された上記経路案内情報を上記出力部を介して出力させることにより、経路案内を実行する経路案内手段と、を備えたことを特徴とする。
【０００９】
また、本発明のナビゲーションシステムは、上記記載のナビゲーションシステムにおいて、上記交通機関の上記属性情報は、上記交通機関の種別を含むことを特徴とする。
【００１０】
また、本発明のナビゲーションシステムは、上記記載のナビゲーションシステムにおいて、上記交通機関の上記属性情報は、上記交通機関の行先情報を含むことを特徴とする。
【００１１】
また、本発明のナビゲーションシステムは、上記記載のナビゲーションシステムにおいて、上記ネットワークデータは、更に、上記停留地点における上記交通機関の発着時刻を含み、上記経路探索条件は、更に、出発時刻または到着時刻を含み、上記案内経路探索手段は、上記端末装置から送信される少なくとも上記出発地と上記目的地と上記出発時刻または上記到着時刻とを含む上記経路探索条件を満たす上記出発地から上記目的地までの上記経路である上記案内経路を、上記ネットワークデータ記憶手段に記憶された上記ネットワークデータを用いて、上記出発時刻または上記到着時刻に対応する上記ネットワークデータに含まれる上記発着時刻に基づき探索し、上記案内経路データを生成し、上記経路案内情報送信手段は、上記案内経路データと、上記属性情報抽出手段により抽出された上記属性情報と、上記案内経路上の上記交通機関の上記乗降地点である上記停留地点における上記発着時刻と、を少なくとも含む上記経路案内情報を上記端末装置に送信することを特徴とする。
【００１２】
また、本発明のナビゲーションシステムは、上記記載のナビゲーションシステムにおいて、上記ネットワークデータは、更に、上記路線の名称と、上記交通機関の最終行先情報と、上記停留地点の名称と、を含み、上記経路案内情報は、更に、上記路線の名称と、上記交通機関の最終行先情報と、上記乗降地点である上記停留地点の上記名称と、を含むことを特徴とする。
【００１３】
また、本発明の端末装置は、ナビゲーションサーバに通信可能に接続された、出力部と制御部とを少なくとも備えた端末装置であって、上記制御部は、少なくとも出発地と目的地とを含む経路探索条件を上記ナビゲーションサーバに送信する経路探索条件送信手段と、上記ナビゲーションサーバから送信される、上記経路探索条件を満たす上記出発地から上記目的地までの案内経路の案内経路データと、上記案内経路上の交通機関の乗降地点である停留地点に対応する、上記交通機関の路線上の上記停留地点を結ぶ区間毎に対応付けられた上記交通機関の属性情報と、を少なくとも含む経路案内情報を受信する経路案内情報受信手段と、上記経路案内情報受信手段により受信された上記経路案内情報を上記出力部を介して出力させることにより、経路案内を実行する経路案内手段と、を備えたことを特徴とする。
【００１４】
また、本発明のナビゲーションサーバは、出力部を少なくとも備えた端末装置に通信可能に接続された、制御部と記憶部とを少なくとも備えたナビゲーションサーバであって、上記記憶部は、交通機関の路線上の停留地点を結ぶ区間毎に対応付けられた上記交通機関の属性情報を少なくとも含む、交通網を規定するネットワークデータを記憶するネットワークデータ記憶手段、を備え、上記制御部は、上記端末装置から送信される少なくとも出発地と目的地とを含む経路探索条件を満たす上記出発地から上記目的地までの経路である案内経路を、上記ネットワークデータ記憶手段に記憶された上記ネットワークデータを用いて探索し、案内経路データを生成する案内経路探索手段と、上記案内経路探索手段により探索された上記案内経路上の上記交通機関の乗降地点である上記停留地点に対応する上記属性情報を上記ネットワークデータ記憶手段から抽出する属性情報抽出手段と、上記案内経路データと、上記属性情報抽出手段により抽出された上記属性情報と、を少なくとも含む経路案内情報に基づく表示画面を生成する経路案内表示画面生成手段と、上記表示画面を含む経路案内制御情報を上記端末装置へ送信することにより、当該端末装置の上記出力部を介して当該経路案内制御情報を出力させる経路案内制御手段と、を備えたことを特徴とする。
【００１５】
また、本発明のナビゲーション装置は、出力部と制御部と記憶部とを少なくとも備えたナビゲーション装置であって、上記記憶部は、交通機関の路線上の停留地点を結ぶ区間毎に対応付けられた上記交通機関の属性情報を少なくとも含む、交通網を規定するネットワークデータを記憶するネットワークデータ記憶手段、を備え、上記制御部は、少なくとも出発地と目的地とを含む経路探索条件を満たす上記出発地から上記目的地までの案内経路を、上記ネットワークデータ記憶手段に記憶された上記ネットワークデータを用いて探索し、案内経路データを生成する案内経路探索手段と、上記案内経路探索手段により探索された上記案内経路上の上記交通機関の乗降地点である上記停留地点に対応する上記属性情報を上記ネットワークデータ記憶手段から抽出する属性情報抽出手段と、上記案内経路データと、上記属性情報抽出手段により抽出された上記属性情報と、を少なくとも含む経路案内情報を上記出力部を介して出力させることにより、経路案内を実行する経路案内手段と、を備えたことを特徴とする。
【００１６】
また、本発明のナビゲーション方法は、制御部と記憶部とを少なくとも備えたナビゲーションサーバ、および、出力部と制御部とを少なくとも備えた端末装置、を通信可能に接続したナビゲーションシステムにおいて実行されるナビゲーション方法であって、上記ナビゲーションサーバの上記記憶部は、交通機関の路線上の停留地点を結ぶ区間毎に対応付けられた上記交通機関の属性情報を少なくとも含む、交通網を規定するネットワークデータを記憶するネットワークデータ記憶手段、を備え、上記ナビゲーションサーバの上記制御部において実行される、上記端末装置から送信される少なくとも出発地と目的地とを含む経路探索条件を満たす上記出発地から上記目的地までの経路である案内経路を、上記ネットワークデータ記憶手段に記憶された上記ネットワークデータを用いて探索し、案内経路データを生成する案内経路探索ステップと、上記ナビゲーションサーバの上記制御部において実行される、上記案内経路探索ステップにて探索された上記案内経路上の上記交通機関の乗降地点である上記停留地点に対応する上記属性情報を上記ネットワークデータ記憶手段から抽出する属性情報抽出ステップと、上記ナビゲーションサーバの上記制御部において実行される、上記案内経路データと、上記属性情報抽出ステップにて抽出された上記属性情報と、を少なくとも含む経路案内情報を上記端末装置に送信する経路案内情報送信ステップと、上記端末装置の上記制御部において実行される、上記ナビゲーションサーバから送信される上記経路案内情報を受信する経路案内情報受信ステップと、上記端末装置の上記制御部において実行される、上記経路案内情報受信ステップにて受信された上記経路案内情報を上記出力部を介して出力させることにより、経路案内を実行する経路案内ステップと、を含むことを特徴とする。
【００１７】
また、本発明のナビゲーション方法は、ナビゲーションサーバに通信可能に接続された、出力部と制御部とを少なくとも備えた端末装置において実行されるナビゲーション方法であって、上記制御部において実行される、少なくとも出発地と目的地とを含む経路探索条件を上記ナビゲーションサーバに送信する経路探索条件送信ステップと、上記ナビゲーションサーバから送信される、上記経路探索条件を満たす上記出発地から上記目的地までの案内経路の案内経路データと、上記案内経路上の交通機関の乗降地点である停留地点に対応する、上記交通機関の路線上の上記停留地点を結ぶ区間毎に対応付けられた上記交通機関の属性情報と、を少なくとも含む経路案内情報を受信する経路案内情報受信ステップと、上記経路案内情報受信ステップにて受信された上記経路案内情報を上記出力部を介して出力させることにより、経路案内を実行する経路案内ステップと、を含むことを特徴とする。
【００１８】
また、本発明のナビゲーション方法は、出力部を少なくとも備えた端末装置に通信可能に接続された、制御部と記憶部とを少なくとも備えたナビゲーションサーバにおいて実行されるナビゲーション方法であって、上記記憶部は、交通機関の路線上の停留地点を結ぶ区間毎に対応付けられた上記交通機関の属性情報を少なくとも含む、交通網を規定するネットワークデータを記憶するネットワークデータ記憶手段、を備え、上記制御部において実行される、上記端末装置から送信される少なくとも出発地と目的地とを含む経路探索条件を満たす上記出発地から上記目的地までの経路である案内経路を、上記ネットワークデータ記憶手段に記憶された上記ネットワークデータを用いて探索し、案内経路データを生成する案内経路探索ステップと、上記案内経路探索ステップにて探索された上記案内経路上の上記交通機関の乗降地点である上記停留地点に対応する上記属性情報を上記ネットワークデータ記憶手段から抽出する属性情報抽出ステップと、上記案内経路データと、上記属性情報抽出ステップにて抽出された上記属性情報と、を少なくとも含む経路案内情報に基づく表示画面を生成する経路案内表示画面生成ステップと、上記表示画面を含む経路案内制御情報を上記端末装置へ送信することにより、当該端末装置の上記出力部を介して当該経路案内制御情報を出力させる経路案内制御ステップと、を含むことを特徴とする。
【００１９】
また、本発明のナビゲーション方法は、出力部と制御部と記憶部とを少なくとも備えたナビゲーション装置において実行されるナビゲーション方法であって、上記記憶部は、交通機関の路線上の停留地点を結ぶ区間毎に対応付けられた上記交通機関の属性情報を少なくとも含む、交通網を規定するネットワークデータを記憶するネットワークデータ記憶手段、を備え、上記制御部において実行される、少なくとも出発地と目的地とを含む経路探索条件を満たす上記出発地から上記目的地までの案内経路を、上記ネットワークデータ記憶手段に記憶された上記ネットワークデータを用いて探索し、案内経路データを生成する案内経路探索ステップと、上記案内経路探索ステップにて探索された上記案内経路上の上記交通機関の乗降地点である上記停留地点に対応する上記属性情報を上記ネットワークデータ記憶手段から抽出する属性情報抽出ステップと、上記案内経路データと、上記属性情報抽出ステップにて抽出された上記属性情報と、を少なくとも含む経路案内情報を上記出力部を介して出力させることにより、経路案内を実行する経路案内ステップと、を含むことを特徴とする。
【００２０】
また、本発明のプログラムは、端末装置に通信可能に接続された、制御部と記憶部とを少なくとも備えたナビゲーションサーバに実行させるためのプログラムであって、上記記憶部は、交通機関の路線上の停留地点を結ぶ区間毎に対応付けられた上記交通機関の属性情報を少なくとも含む、交通網を規定するネットワークデータを記憶するネットワークデータ記憶手段、を備え、上記制御部において、上記端末装置から送信される少なくとも出発地と目的地とを含む経路探索条件を満たす上記出発地から上記目的地までの経路である案内経路を、上記ネットワークデータ記憶手段に記憶された上記ネットワークデータを用いて探索し、案内経路データを生成する案内経路探索ステップと、上記案内経路探索ステップにて探索された上記案内経路上の上記交通機関の乗降地点である上記停留地点に対応する上記属性情報を上記ネットワークデータ記憶手段から抽出する属性情報抽出ステップと、上記案内経路データと、上記属性情報抽出ステップにて抽出された上記属性情報と、を少なくとも含む経路案内情報を上記端末装置に送信する経路案内情報送信ステップと、を実行させることを特徴とする。
【００２１】
また、本発明のプログラムは、ナビゲーションサーバに通信可能に接続された、出力部と制御部とを少なくとも備えた端末装置に実行させるためのプログラムであって、上記制御部において、少なくとも出発地と目的地とを含む経路探索条件を上記ナビゲーションサーバに送信する経路探索条件送信ステップと、上記ナビゲーションサーバから送信される、上記経路探索条件を満たす上記出発地から上記目的地までの案内経路の案内経路データと、上記案内経路上の交通機関の乗降地点である停留地点に対応する、上記交通機関の路線上の上記停留地点を結ぶ区間毎に対応付けられた上記交通機関の属性情報と、を少なくとも含む経路案内情報を受信する経路案内情報受信ステップと、上記経路案内情報受信ステップにて受信された上記経路案内情報を上記出力部を介して出力させることにより、経路案内を実行する経路案内ステップと、を実行させることを特徴とする。
【００２２】
また、本発明のプログラムは、出力部を少なくとも備えた端末装置に通信可能に接続された、制御部と記憶部とを少なくとも備えたナビゲーションサーバに実行させるためのプログラムであって、上記記憶部は、交通機関の路線上の停留地点を結ぶ区間毎に対応付けられた上記交通機関の属性情報を少なくとも含む、交通網を規定するネットワークデータを記憶するネットワークデータ記憶手段、を備え、上記制御部において、上記端末装置から送信される少なくとも出発地と目的地とを含む経路探索条件を満たす上記出発地から上記目的地までの経路である案内経路を、上記ネットワークデータ記憶手段に記憶された上記ネットワークデータを用いて探索し、案内経路データを生成する案内経路探索ステップと、上記案内経路探索ステップにて探索された上記案内経路上の上記交通機関の乗降地点である上記停留地点に対応する上記属性情報を上記ネットワークデータ記憶手段から抽出する属性情報抽出ステップと、上記案内経路データと、上記属性情報抽出ステップにて抽出された上記属性情報と、を少なくとも含む経路案内情報に基づく表示画面を生成する経路案内表示画面生成ステップと、上記表示画面を含む経路案内制御情報を上記端末装置へ送信することにより、当該端末装置の上記出力部を介して当該経路案内制御情報を出力させる経路案内制御ステップと、を実行させることを特徴とする。
【００２３】
また、本発明のプログラムは、出力部と制御部と記憶部とを少なくとも備えたナビゲーション装置に実行させるためのプログラムであって、上記記憶部は、交通機関の路線上の停留地点を結ぶ区間毎に対応付けられた上記交通機関の属性情報を少なくとも含む、交通網を規定するネットワークデータを記憶するネットワークデータ記憶手段、を備え、上記制御部において、少なくとも出発地と目的地とを含む経路探索条件を満たす上記出発地から上記目的地までの案内経路を、上記ネットワークデータ記憶手段に記憶された上記ネットワークデータを用いて探索し、案内経路データを生成する案内経路探索ステップと、上記案内経路探索ステップにて探索された上記案内経路上の上記交通機関の乗降地点である上記停留地点に対応する上記属性情報を上記ネットワークデータ記憶手段から抽出する属性情報抽出ステップと、上記案内経路データと、上記属性情報抽出ステップにて抽出された上記属性情報と、を少なくとも含む経路案内情報を上記出力部を介して出力させることにより、経路案内を実行する経路案内ステップと、を実行させることを特徴とする。
【発明の効果】
【００２４】
この発明によれば、ナビゲーションサーバにて端末装置から送信される少なくとも出発地と目的地とを含む経路探索条件を満たす出発地から目的地までの経路である案内経路を、ネットワークデータを用いて探索し、案内経路データを生成し、探索された案内経路上の交通機関の乗降地点である停留地点に対応する属性情報を記憶部から抽出し、案内経路データと、抽出された属性情報と、を少なくとも含む経路案内情報を端末装置に送信し、端末装置にて、ナビゲーションサーバから送信される経路案内情報を受信し、受信された経路案内情報を出力部を介して出力させることにより、経路案内を実行するので、区間毎に実際の車両に表示される情報と同様の表示画面を提示することができ、車両に表示されている情報に即した経路案内を行うことができるという効果を奏する。従って、この発明によれば、車両に表示されている内容と、ユーザが所持する端末装置に表示されている内容とが異なることで、利用者がとまどうことを回避することができるという効果を奏する。また、本発明によれば、駅で表示している案内とユーザが所持する端末装置に表示されている案内とを合わせることで、検索結果を見たときに種別や行き先が異なっている場合に、ユーザの眼前の交通機関に乗っていいかどうか分からない時に生じる不安を解消することができるという効果を奏する。また、本発明によれば、ナビゲーションサーバにて交通機関の路線上の停留地点を結ぶ区間毎に対応付けられた交通機関の属性情報を少なくとも含む、交通網を規定するネットワークデータを記憶しているので、属性情報に基づいて区間ごとにネットワークデータを分割して経路探索をする必要が無く、運行会社の都合に左右されず、経路探索の負荷をかけないで車両に表示されている情報に即した経路案内を行うことができるという効果を奏する。
【００２５】
この発明によれば、交通機関の属性情報は、交通機関の種別を含むので、路線の途中から急行や準急等から各駅停車等へ変更されて運行される交通機関において、車両に設置された行先表示器等の種別表示も運用上急行や準急等から各駅停車等に変更される場合にも、変更前後の種別をユーザに案内することができるという効果を奏する。
【００２６】
この発明によれば、交通機関の属性情報は、交通機関の行先情報を含むので、始発地点と終着地点が同一の循環路線において、車両に設置された行先表示器等の行先表示が運用上最終行先と経由地との間で変更される場合にも、変更前後の行先をユーザに案内することができるという効果を奏する。
【００２７】
この発明によれば、ネットワークデータは、更に、停留地点における交通機関の発着時刻を含み、経路探索条件は、更に、出発時刻または到着時刻を含み、端末装置から送信される少なくとも出発地と目的地と出発時刻または到着時刻とを含む経路探索条件を満たす出発地から目的地までの経路である案内経路を、ネットワークデータを用いて、出発時刻または到着時刻に対応するネットワークデータに含まれる発着時刻に基づき探索し、案内経路データを生成し、案内経路データと、抽出された属性情報と、案内経路上の交通機関の乗降地点である停留地点における発着時刻と、を少なくとも含む経路案内情報を端末装置に送信するので、ユーザのスケジュールに即した経路案内をおこなうことができるという効果を奏する。
【００２８】
この発明によれば、ネットワークデータは、更に、路線の名称と、交通機関の最終行先情報と、停留地点の名称と、を含み、経路案内情報は、更に、路線の名称と、交通機関の最終行先情報と、乗降地点である停留地点の名称と、を含むので、表示画面にこれらの情報を表示することで、ユーザが駅等の発車標を見て自分の乗車車両の場所等を探す場合に、乗車する電車やバス等の特定を容易にさせるという効果を奏する。
【００２９】
なお、上記において、本発明のナビゲーションシステムを一例に効果の説明をしたが、端末装置、ナビゲーションサーバ、ナビゲーション装置、ナビゲーション方法、および、プログラムにおいても同様の効果を奏する。
【図面の簡単な説明】
【００３０】
【図１】図１は、第１の実施形態におけるナビゲーションシステムの概略構成の一例を示す概念図である。
【図２】図２は、第１の実施形態におけるナビゲーションシステムの構成の一例を示すブロック図である。
【図３】図３は、第１の実施形態におけるナビゲーションシステムの処理の一例を示すフローチャートである。
【図４】図４は、本実施形態における電車の経路の一例を示す図である。
【図５】図５は、本実施形態における電車の時刻表データの一例を示す図である。
【図６】図６は、本実施形態におけるバスの経路の一例を示す図である。
【図７】図７は、本実施形態におけるバスの時刻表データの一例を示す図である。
【図８】図８は、本実施形態における表示画面の一例を示す図である。
【図９】図９は、第２の実施形態におけるナビゲーションサーバの構成の一例を示すブロック図である。
【図１０】図１０は、第２の実施形態におけるナビゲーションサーバの処理の一例を示すフローチャートである。
【図１１】図１１は、第３の実施形態におけるナビゲーション装置の構成の一例を示すブロック図である。
【図１２】図１２は、第３の実施形態におけるナビゲーション装置の処理の一例を示すフローチャートである。
【発明を実施するための形態】
【００３１】
以下に、本発明にかかるナビゲーションシステム、端末装置、ナビゲーションサーバ、ナビゲーション装置、ナビゲーション方法、および、プログラムの実施の形態を図面に基づいて詳細に説明する。なお、この実施の形態によりこの発明が限定されるものではない。
【００３２】
以下、本発明の構成および処理について、第１の実施形態（ナビゲーションシステム）、第２の実施形態（ナビゲーションサーバ（サーバ主導型））、第３の実施形態（ナビゲーション装置（スタンドアローン型））の順にて詳細に説明する。
【００３３】
［第１の実施形態］
最初に、本発明の第１の実施形態（ナビゲーションシステム）について、図１から図８を参照して以下に説明する。
【００３４】
［ナビゲーションシステムの構成］
まず、第１の実施形態におけるナビゲーションシステムの構成の一例について、図１および図２を参照して以下に説明する。ここで、図１は、第１の実施形態におけるナビゲーションシステムの概略構成の一例を示す概念図である。図２は、第１の実施形態におけるナビゲーションシステムの構成の一例を示すブロック図であり、該構成のうち本発明に関係する部分のみを概念的に示している。
【００３５】
図１に示すように、第１の実施形態のナビゲーションシステムは、概略的に、経路探索等を行うナビゲーションサーバ２００、および、単数または複数の経路案内アプリケーションや乗換案内アプリケーション等を搭載した端末装置１００、を通信可能に接続して構成される。ここで、図１に示すように、通信には、一例として、ネットワーク３００を介した有線・無線通信等の遠隔通信等を含む。また、これらナビゲーションシステムの各部は任意の通信路を介して通信可能に接続されている。また、第２の実施形態においても図１におけるシステム構成と同様に構成されてもよい。
【００３６】
そして、図２に示すように、第１の実施形態のナビゲーションシステムにおいて、ナビゲーションサーバ２００は、概略的に、制御部２０２と記憶部２０６とを少なくとも備えており、端末装置１００は、位置取得部１１２と出力部（表示部１１４および音声出力部１１８）と入力部１１６と制御部１０２と記憶部１０６とを少なくとも備える。
【００３７】
［ナビゲーションサーバ２００の構成］
ここで、図２において、端末装置１００から送信される少なくとも出発地と目的地とを含む経路探索条件を満たす出発地から目的地までの経路である案内経路を、ネットワークデータを用いて探索し、案内経路データを生成し、探索された案内経路上の交通機関の乗降地点である停留地点に対応する交通機関の属性情報を記憶部２０６から抽出し、案内経路データと、属性情報と、を少なくとも含む経路案内情報を端末装置１００に送信する等の機能を有する。ナビゲーションサーバ２００は、通信制御インターフェース部２０４を介してネットワーク３００を経由し、端末装置１００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、ナビゲーションサーバ２００とネットワーク３００との間における通信制御を行う機能を有する。すなわち、通信制御インターフェース部２０４は、端末装置１００等と通信回線を介してデータを通信する機能を有している。記憶部２０６は、ＨＤ（Ｈａｒｄ  Ｄｉｓｋ）等の固定ディスク装置およびＳＳＤ（Ｓｏｌｉｄ  Ｓｔａｔｅ  Ｄｒｉｖｅ）等のストレージ手段であり、各種のデータベースやテーブル（ネットワークデータベース２０６ａ、地図データベース２０６ｂ、および、案内データベース２０６ｃ等）を格納する。
【００３８】
これら記憶部２０６の各構成要素のうち、ネットワークデータベース２０６ａは、交通機関の路線上の停留地点を結ぶ区間毎に対応付けられた交通機関の属性情報を少なくとも含む、交通網を規定するネットワークデータを記憶するネットワークデータ記憶手段である。ここで、ネットワークデータベース２０６ａに記憶される交通機関の属性情報は、交通機関の種別を含んでいてもよい。また、ネットワークデータベース２０６ａに記憶される交通機関の属性情報は、交通機関の行先情報を含んでいてもよい。また、ネットワークデータベース２０６ａに記憶されるネットワークデータは、更に、交通機関の路線上の停留地点における交通機関の発着時刻を含んでいてもよい。また、ネットワークデータベース２０６ａに記憶されるネットワークデータは、更に、交通機関の路線の名称と、交通機関の最終行先情報と、交通機関の路線上の停留地点の名称と、を含んでいてもよい。また、ネットワークデータベース２０６ａに記憶されるネットワークデータは、道路ネットワークデータ、路線網ネットワークデータ、および、施設内ネットワークデータを含んでいてもよい。これらネットワークデータは、ネットワークデータベース２０６ａに予め記憶されており、ナビゲーションサーバ２００の制御部２０２は、定期的にネットワーク３００を介して最新のデータを外部機器（例えば、地図データを提供する地図提供サーバなど）等からダウンロードしてネットワークデータベース２０６ａに記憶されたネットワークデータをアップデートしてもよい。
【００３９】
ここで、ネットワークデータベース２０６ａに記憶される道路ネットワークデータは、道路網を規定するネットワークデータであり、例えば、交差点等の道路網表現上の結節点であるノードのノードデータと、ノード間の道路区間であるリンクのリンクデータとの組み合わせによって表現されるネットワークデータである。ここで、ノードデータには、ノード番号（例えば、ノードＩＤ等）、ノードの名称、緯度経度高度等の位置座標、ノード種別、接続するリンク本数、接続ノード番号、および、交差点名称等の情報を含んでいてもよい。また、リンクデータには、リンク番号（例えば、リンクＩＤ等）、開始ノードＩＤ、終了ノードＩＤ、道路の種別、国道や県道や市道等の路線番号、重用する路線情報、リンクの存在する行政区域の属性情報、リンク長（例えば、距離等）、道路供用状況、異常気象時通行規制区間、車重制限、車両高さ制限、幅員、道路幅員区分、レーン情報（例えば、車線数、ならびに、専用通行帯、路線バス等優先通行帯、車両通行区分、および、進行方向別通行区分などについての車両通行帯情報等）、制限速度、高架やトンネルや橋等のリンク内属性、および、名称等の情報を含んでいてもよい。また、道路ネットワークデータは、利用料金データ等を含んでいてもよい。ここで、利用料金データは、自動車、オートバイ等で移動する場合に消費する燃料料金、高速自動車国道や自動車専用道路等の有料道路の通行料金等を表す情報等であってもよい。また、道路ネットワークデータは、自動車、オートバイ、自転車、徒歩等で移動する場合の経路上に存在する施設等の緯度経度情報などの位置情報等を記憶してもよい。また、道路ネットワークデータは、道路交通情報を含んでいてもよい。ここで、道路交通情報は、渋滞発生地点や渋滞距離や道路上の二地点間の通過時間（すなわち、旅行時間など）等の渋滞情報を含んでいてもよい。また、道路交通情報は、交通障害情報や交通規制情報等を含んでいてもよい。ここで、交通規制情報は、各種の交通規制を定義するデータであり、例えば、降水量規制、積雪・凍結規制、超波規制、風速規制、および、視程規制等の異常気象時通行規制、高さ規制、および、重量規制等の車両通行規制、道路工事や作業、道路周辺の工事に伴う工事時規制、ならびに、時間帯や車種により通行できる通行帯を規制している通行帯規制、道路の損壊等による車両通行止、交通の安全を確保するために設置されるコミュニティ・ゾーン等による一般車の進入禁止、ならびに、私有地への接続路であることによる一般車の進入禁止等の情報などを含んでもよい。これら道路交通情報は、ネットワークデータベース２０６ａに予め記憶されており、ナビゲーションサーバ２００の制御部２０２は、定期的（例えば、５分毎等）にネットワーク３００を介して最新のデータを外部システム（例えば、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）、ＡＴＩＳ（Ａｄｖａｎｃｅｄ  Ｔｒａｆｆｉｃ  Ｉｎｆｏｒｍａｔｉｏｎ  Ｓｅｒｖｉｃｅ）、日本道路交通情報センター（ＪＡＲＴＩＣ）など）等からダウンロードしてネットワークデータベース２０６ａに記憶された道路交通情報をアップデートしてもよい。
【００４０】
また、ネットワークデータベース２０６ａに記憶される路線網ネットワークデータは、電車、飛行機、バス、市電、ロープウェイ、モノレール、ケーブルカー、および、船等の各交通機関（例えば、公共交通機関等）の路線網を規定するネットワークデータであり、例えば、路線網表現上の結節点であるノード（例えば、交通機関の停留地点である駅、停留場、停車場、停留所、空港、港、ターミナル等）のノードデータと、ノード間を接続する鉄道路線、航空路線、航路、および、バス路線等のリンクのリンクデータとの組み合わせによって表現されるネットワークデータである。ここで、ノードデータには、ノード番号（例えば、ノードＩＤ等）、ノードの名称（例えば、交通機関の停留地点の名称である駅名、停留場名、停車場名、停留所名、空港名、港名、ターミナルの名称等）、緯度経度高度などの位置座標等の情報を含んでいてもよい。また、リンクデータには、リンク番号（例えば、リンクＩＤ等）、開始ノードＩＤ、終了ノードＩＤ、種別、リンク長（例えば、距離等）、高架やトンネルや橋等のリンク内属性、および、名称（例えば、路線名など）等の情報を含んでいてもよい。また、路線網ネットワークデータは、交通機関の時刻表データ、利用料金データ、および、乗車位置データ等を含んでいてもよい。ここで、時刻表データは、電車、飛行機、バス、市電、ロープウェイ、モノレール、ケーブルカー、および、船等の各交通機関の時刻表を表す情報であって、交通機関の行先情報（例えば、最終行先情報など）、交通機関の種別（例えば、特急、急行、準急、快速、快速急行、通勤特急、通勤快速、通勤急行、区間急行、区間準急、区間快速、各駅停車、普通など）、路線上のノード（すなわち、交通機関の停留地点）における交通機関の発着時刻（例えば、発車時刻および到着時刻など）、交通機関の路線の名称、および、交通機関の路線上のノード（すなわち、交通機関の停留地点）の名称等の属性情報を含む情報であってもよい。また、路線網ネットワークデータに含まれる時刻表データは、交通機関の路線上のノードを結ぶ区間（例えば、一つまたは複数のリンク等）毎に対応付けられた交通機関の属性情報（例えば、種別、行先情報等）を含んでいてもよい。また、利用料金データは、例えば、電車、飛行機、バス、市電、ロープウェイ、モノレール、ケーブルカー、および、船等の各交通機関を利用した場合に生じる利用料金等を表す情報等であってもよい。また、乗車位置データは、例えば、電車、市電、モノレール、ならびに、ケーブルカー等の複数の車両が連結した交通機関の乗車位置（一例として、改札口に近い車両、乗換に便利な位置の車両、混雑率の低い車両、および、女性専用車両等）を表す情報等であってもよい。また、路線網ネットワークデータは、鉄道運行情報、航空運行情報、船舶運行情報、バス運行情報等を含んでいてもよい。これら鉄道運行情報、航空運行情報、船舶運行情報、バス運行情報等は、ネットワークデータベース２０６ａに予め記憶されており、ナビゲーションサーバ２００の制御部２０２は、定期的にネットワーク３００を介して最新のデータを外部システム等からダウンロードしてネットワークデータベース２０６ａに記憶された鉄道運行情報、航空運行情報、船舶運行情報、バス運行情報等をアップデートしてもよい。
【００４１】
また、ネットワークデータベース２０６ａに記憶される施設内ネットワークデータは、施設内の経路網を規定するネットワークデータであり、例えば、建造物内の店舗、会社、事務所、トイレ等の出入口、エレベータおよびエスカレータの乗降口、階段の出入口、飛行機等の搭乗口、駅のプラットホーム上の電車等の乗車位置、ならびに、駅の改札口等の、通路等を接続する結節点であるノードのノードデータと、ノード間を接続する通路、階段、動く歩道、エスカレータ、および、エレベータ等であるリンクのリンクデータとの組み合わせによって表現されるネットワークデータである。ここで、ノードデータには、ノード番号（例えば、ノードＩＤ等）、緯度経度高度等の位置座標、ノード種別（例えば、出入口、乗降口、通路の曲がり角、および、通路の分岐点等）、接続するリンク本数、ならびに、接続ノード番号等の情報を含んでいてもよい。また、リンクデータには、リンク番号（例えば、リンクＩＤ等）、開始ノードＩＤ、終了ノードＩＤ、リンク長、幅員、ならびに、リンク種別（例えば、ノード間を接続する通路、階段、スロープ、エスカレータ、エレベータ、および、動く歩道など）の情報を含んでいてもよい。ここで、施設とは、駅、オフィスビル、ホテル、デパート、スーパーマーケット、博物館、美術館、学校、水族館、地下通路、立体駐車場、地下駐車場、および、地下街等の屋内建造物、ならびに、公園、遊園地、キャンプ場、連絡通路、屋外駐車場、および、動物園等の屋外建造物であってもよい。
【００４２】
また、地図データベース２０６ｂは、地図の地図データを記憶する地図データ記憶手段である。ここで、地図データベース２０６ｂに記憶される地図データは、本発明において、例えば、縮尺に従ってメッシュ化された地図データ（例えば、ＪＩＳ規格の第１〜３次地域区画メッシュデータ、および、１００ｍメッシュデータ等）等の屋外地図データであってもよい。また、地図データベース２０６ｂは、全国および各地方の道路地図や路線図等の屋外地図データを記憶してもよい。また、地図データベース２０６ｂは、例えば、高さ情報を持つ建築物（例えば、立体駐車場、駅、デパート、および、学校等）に関するフロア案内地図等の屋内地図データをさらに記憶してもよい。また、地図データベース２０６ｂに記憶される地図データは、地図上に表示される地物（例えば、ビルや住宅や駅等の建造物、道路、線路、橋、トンネル、等高線、海岸線や湖岸線等の水涯線、海、河川、湖、池、沼、公園や屋外施設等の場地、行政界、行政区域、および、街区等）の形状についての形状データ、地図上に表示される注記（例えば、地名、住所、電話番号、店や公園や駅等の施設名称、名所や旧跡や河川や湖や湾や山や森林等の俗称を含む名称、道路や橋やトンネル等の名称、路線名称、地点情報、および、口コミ情報等）の注記データ、ならびに、地図上に表示される記号（例えば、山や史跡や寺社や学校や病院や工場や墓地等の地図記号、ガソリンスタンドやコンビニエンスストアやスーパーマーケットやレストランや銀行や郵便局等の店舗記号、道路上の信号や有料道路の出入口や料金所やサービスエリアやパーキングエリアやインターチェンジ等の記号、駐車場や駅やホテルや美術館や博物館等の施設記号、および、口コミ地点記号等）の記号データ等のデータを含んでいてもよい。また、屋外地図データや屋内地図データは、ラスタ形式、ベクタ形式等の地図描画用の画像データであってもよい。これら屋外地図データや屋内地図データは、地図データベース２０６ｂに予め記憶されており、ナビゲーションサーバ２００の制御部２０２は、定期的にネットワーク３００を介して最新のデータを外部機器等からダウンロードして地図データベース２０６ｂに記憶された屋外地図データおよび屋内地図データをアップデートしてもよい。
【００４３】
また、案内データベース２０６ｃは、案内データ（音声案内データや表示案内データ等）を記憶する案内データ記憶手段である。ここで、案内データベース２０６ｃに記憶された表示案内データは、案内経路上の分岐点等における進行方向等に対応付けられた、右左折等の誘導を画面に表示する矢印ナビゲーションであるターンバイターン（ＴＢＴ）や、現在位置が目標物に近づいた旨を知らせる文字データ等であり、例えば、端末装置１００の制御部１０２が表示案内を実行する際に用いられる。また、案内データベース２０６ｃに記憶された音声案内データは、案内経路上の分岐点等における進行方向等に対応付けられた「次の交差点を左に曲がります」や、現在位置が目的地に近づいた場合に対応付けられた「まもなく目的地周辺です」等の音声データであり、例えば、端末装置１００の制御部１０２が音声案内を実行する際に用いられる。
【００４４】
また、制御部２０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、経路探索条件受信部２０２ａ、案内経路探索部２０２ｂ、属性情報抽出部２０２ｃ、および、経路案内情報送信部２０２ｄを備える。
【００４５】
このうち、経路探索条件受信部２０２ａは、端末装置１００から送信される少なくとも出発地と目的地とを含む経路探索条件を受信する経路探索条件受信手段である。ここで、経路探索条件は、更に、出発時刻または到着時刻を含んでいてもよい。ここで、出発時刻は、現在時刻であってもよい。また、経路探索条件は、更に、経由地等を含んでいてもよい。また、経路探索条件は、更に、経由時刻を含んでいてもよい。
【００４６】
また、案内経路探索部２０２ｂは、少なくとも出発地と目的地とを含む経路探索条件を満たす出発地から目的地までの経路である案内経路を、ネットワークデータベース２０６ａに記憶されたネットワークデータを用いて探索し、案内経路データを生成する案内経路探索手段である。ここで、案内経路探索部２０２ｂは、少なくとも出発地と目的地と出発時刻または到着時刻とを含む経路探索条件を満たす出発地から目的地までの経路である案内経路を、ネットワークデータベース２０６ａに記憶されたネットワークデータを用いて、出発時刻または到着時刻に対応するネットワークデータに含まれる交通機関の停留地点における発着時刻に基づき探索し、案内経路データを生成してもよい。また、経路探索条件は、端末装置１００の利用者により入力部１１６を介して入力されたものであってもよい。また、経路探索条件に経由地が更に含まれている場合、案内経路探索部２０２ｂは、経由地を経由した案内経路を探索してもよい。また、経路探索条件に経由地および経由時刻が更に含まれている場合、案内経路探索部２０２ｂは、経由地を経由した案内経路を経由時刻に対応する、ネットワークデータベース２０６ａに記憶されたネットワークデータに含まれる交通機関の停留地点における発着時刻に基づき探索してもよい。
【００４７】
また、属性情報抽出部２０２ｃは、案内経路上の交通機関の乗降地点である停留地点に対応する交通機関の属性情報をネットワークデータベース２０６ａから抽出する属性情報抽出手段である。
【００４８】
また、経路案内情報送信部２０２ｄは、案内経路データと、属性情報抽出部２０２ｃにより抽出された交通機関の属性情報と、を少なくとも含む経路案内情報を端末装置１００に送信する経路案内情報送信手段である。ここで、経路案内情報送信部２０２ｄは、案内経路データと、属性情報抽出部２０２ｃにより抽出された交通機関の属性情報と、案内経路上の交通機関の乗降地点である停留地点における発着時刻と、を少なくとも含む経路案内情報を端末装置１００に送信してもよい。経路案内情報は、更に、路線の名称と、交通機関の最終行先情報と、案内経路上の交通機関の乗降地点である停留地点の名称と、を含んでいてもよい。また、経路案内情報は、更に、地図データベース２０６ｂに記憶された、案内経路を含む地図の地図データを含んでいてもよい。また、経路案内情報は、更に、案内データベース２０６ｃに記憶された、案内経路上において出力される案内データ（表示案内データおよび音声案内データ等）を含んでいてもよい。
【００４９】
［端末装置１００の構成］
また、図２において、端末装置１００は、ナビゲーションサーバ２００から送信される経路案内情報を受信し、経路案内情報を出力部を介して出力させることにより、経路案内を実行する等の機能を有する。端末装置１００は、例えば、一般に市販されるデスクトップ型またはノート型のパーソナルコンピュータ等の情報処理装置、携帯電話やＰＨＳやＰＤＡ等の携帯端末装置、および、走行経路案内等を行なうナビゲーション端末等である。ここで、端末装置１００は、インターネットブラウザ等を搭載していてもよく、経路案内アプリケーションや乗換案内アプリケーション等を搭載していてもよい。また、端末装置１００は、リアルタイムに現在位置取得が行えるよう、ＧＰＳ機能やＩＭＥＳ機能等を有する位置取得部１１２を備えている。また、端末装置１００は、少なくとも表示部１１４と音声出力部１１８とを少なくとも含む出力部を備えている。ここで、表示部１１４は、表示案内データ等の表示画面を表示する表示手段（例えば、液晶や有機ＥＬ等から構成されるディスプレイやモニタ等）である。また、音声出力部１１８は、ナビゲーションサーバ２００から受信した音声案内データ等を音声として出力する音声出力手段（例えば、スピーカ等）である。また、端末装置１００は、経路探索条件の入力等を行う入力部１１６（例えば、キー入力部、タッチパネル、キーボード、マイク等）を備えている。また、入出力制御インターフェース部１０８は、位置取得部１１２、表示部１１４、入力部１１６、および、音声出力部１１８等の制御を行う。
【００５０】
ここで、位置取得部１１２は、例えば、位置発信装置５００から発信される位置情報信号を受信する位置取得手段であってもよい。ここで、位置発信装置５００は、位置情報信号（ＧＰＳ信号）を発信するＧＰＳ装置であってもよく、また、ＧＰＳ信号と類似した特徴を持つ位置情報信号を用いて屋内測位を可能とするＩＭＥＳ（Ｉｎｄｏｏｒ  Ｍｅｓｓａｇｅ  Ｓｙｓｔｅｍ）技術を実現するＩＭＥＳ装置であってもよい。なお、ＩＭＥＳ技術は測位衛星システムである準天頂衛星の枠組みから発案されたシステムである。また、位置発信装置５００は、屋外で受信したＧＰＳ信号を屋内で発信するＧＰＳリピータであってもよい。また、位置発信装置５００は、建物（例えば、立体駐車場等）内の各フロアや地下構造物（例えば、トンネル、地下駐車場等）の各所に任意に設置される小型発信装置であってもよい。なお、この小型発信装置には、設置場所に応じた自己位置情報（位置ＩＤ等）が割り振られている。そして、端末装置１００が通信可能範囲に入ると、端末装置１００は、小型発信装置から送信される自己位置情報を位置情報信号として受信する。この際の通信方式は、例えば、ＲＦＩＤ（Ｒａｄｉｏ  Ｆｒｅｑｕｅｎｃｙ  Ｉｄｅｎｔｉｆｉｃａｔｉｏｎ）タグシステムやＢｌｕｅｔｏｏｔｈ（登録商標）等の各種近距離無線方式や、赤外線通信方式等であってもよい。また、位置発信装置５００は、無線ＬＡＮのアクセスポイントであってもよい。本実施形態において、位置取得部１１２は、無線ＬＡＮ信号等を受信して、アクセスポイントの識別情報を取得してもよい。そして、制御部１０２は、位置取得部１１２にて取得したアクセスポイント固有の識別情報からアクセスポイントの位置を特定して位置情報を取得してもよい。また、本実施形態において、制御部１０２は、位置取得部１１２にて取得された位置情報信号から、緯度、経度、および、高さ情報を含む位置情報を算出してもよい。
【００５１】
また、位置取得部１１２は、例えば、方位センサにて検出した端末装置１００の進行方向等の方位情報、および、距離センサにて検出した距離情報を取得してもよい。ここで、方位センサには、端末装置１００の絶対走行方位を検出する地磁気センサおよび端末装置１００の相対走行方位を検出する光ジャイロが使用されてもよい。また、方位センサは、地磁気センサと加速度センサを組み合わせることで方位や傾きに関する情報を取得できる電子コンパスであってもよい。
【００５２】
また、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、ナビゲーションサーバ２００等と通信回線を介してデータを通信する機能を有している。また、ネットワーク３００は、端末装置１００、ナビゲーションサーバ２００、および、外部の地図提供サーバ等の外部機器や外部システムとを相互に接続する機能を有し、例えば、インターネット、電話回線網（携帯端末回線網および一般電話回線網等）、イントラネット、または、電力線通信（ＰＬＣ）等であってもよい。
【００５３】
また、記憶部１０６は、ＨＤやＳＳＤ等の大容量のストレージ手段、および／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段であり、各種のデータベースやファイルやテーブル（経路案内情報ファイル１０６ａ等）を格納してもよい。ここで、記憶部１０６は、各種のファイル等を一時的に記憶するものであってもよい。
【００５４】
このうち、経路案内情報ファイル１０６ａは、経路案内情報を記憶する経路案内情報記憶手段である。
【００５５】
また、制御部１０２は、ＯＳ等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、現在位置情報取得部１０２ａ、経路探索条件送信部１０２ｂ、経路案内情報受信部１０２ｃ、および、経路案内部１０２ｄを備える。
【００５６】
また、現在位置情報取得部１０２ａは、端末装置１００の利用者の現在位置情報を取得する現在位置情報取得手段である。ここで、現在位置情報取得部１０２ａは、端末装置１００の利用者の現在位置情報を所定時間（所定周期）ごと（例えば、１秒ごと、３分ごと等）に取得してもよい。また、現在位置情報取得部１０２ａは、位置取得部１１２にて位置発信装置５００から受信した位置情報信号から算出した位置情報を端末装置１００の利用者の現在位置情報として取得してもよい。また、現在位置情報取得部１０２ａは、更に、位置取得部１１２の方位センサ等にて検出した端末装置１００の進行方向等の方位情報を端末装置１００の利用者の現在位置情報として取得してもよい。また、現在位置情報取得部１０２ａは、利用者により入力部１１６を介して入力された現在位置についての位置座標等の位置情報を端末装置１００の利用者の現在位置情報として取得してもよい。ここで、利用者により入力部１１６を介して入力された現在位置は、利用者が現実に存在する位置であってもよく、利用者により任意に選択された仮想の現在位置（一例として、東京にいる利用者により選択された大阪の駅や空港等の任意の地点）であってもよい。例えば、現在位置情報取得部１０２ａは、入力部１１６を介して利用者に表示部１１４に表示された地図データの表示画面上で指定（例えば、タッチパネル式の表示部１１４での指定操作等）させた座標を端末装置１００の利用者の現在位置情報として取得してもよい。また、現在位置情報取得部１０２ａは、更に、入力部１１６を介して利用者に表示部１１４に表示された地図データの表示画面上で指定させた方位情報を端末装置１００の利用者の現在位置情報として取得してもよい。
【００５７】
また、経路探索条件送信部１０２ｂは、少なくとも出発地と目的地とを含む経路探索条件をナビゲーションサーバ２００へ送信する経路探索条件送信手段である。ここで、出発地は、現在位置情報取得部１０２ａにより取得される現在位置情報に基づく端末装置１００の利用者の現在位置であってもよい。
【００５８】
また、経路案内情報受信部１０２ｃは、ナビゲーションサーバ２００から送信される経路案内情報を受信する経路案内情報受信手段である。ここで、経路案内情報受信部１０２ｃは、更に、受信した経路案内情報を経路案内情報ファイル１０６ａに格納してもよい。ここで、経路案内情報受信部１０２ｃは、経路案内情報ファイル１０６ａに既存の経路案内情報が記憶されている場合、新たに設定された経路案内情報を、既存の経路案内情報に上書きして格納してもよい。
【００５９】
また、経路案内部１０２ｄは、経路案内情報を出力部を介して出力させることにより、経路案内を実行する経路案内手段である。ここで、経路案内部１０２ｄは、経路案内情報に基づく表示画面を表示部１１４に表示させてもよい。例えば、経路案内部１０２ｄは、経路案内情報に含まれる案内経路データ、経路案内情報に含まれる案内経路上の交通機関の乗降地点である停留地点に対応する交通機関の属性情報（例えば、交通機関の種別、交通機関の行先情報等）、経路案内情報に含まれる地図データ、経路案内情報に含まれる案内データに含まれるＴＢＴ等の表示案内データ、経路案内情報に含まれる案内経路上の交通機関の乗降地点である停留地点における発着時刻、経路案内情報に含まれる路線の名称、経路案内情報に含まれる交通機関の最終行先情報、および／または、経路案内情報に含まれる案内経路上の交通機関の乗降地点である停留地点の名称に基づく表示画面を表示部１１４に表示させてもよい。また、経路案内部１０２ｄは、更に、端末装置１００の利用者の現在位置情報を出力部を介して出力させてもよい。例えば、経路案内部１０２ｄは、経路案内情報に含まれる地図データ上に、経路案内情報に含まれる案内経路データ、および、端末装置１００の利用者の現在位置情報、を重畳した表示画面を表示部１１４に表示させてもよい。また、経路案内部１０２ｄは、経路案内情報を音声出力部１１８を介して出力させてもよい。例えば、経路案内部１０２ｄは、経路案内情報に含まれる案内経路上の分岐点等における進行方向等に対応付けられた音声案内データを、音声出力部１１８を介して出力させてもよい。
【００６０】
以上で、第１の実施形態におけるナビゲーションシステムの構成の一例の説明を終える。
【００６１】
［ナビゲーションシステムの処理］
次に、このように構成された第１の実施形態におけるナビゲーションシステムの処理の一例について、以下に図３から図８を参照して詳細に説明する。図３は、第１の実施形態におけるナビゲーションシステムの処理の一例を示すフローチャートである。
【００６２】
図３に示すように、まず、端末装置１００の経路探索条件送信部１０２ｂは、利用者により入力部１１６を介して入力された少なくとも出発地と目的地と出発時刻または到着時刻とを含む経路探索条件をナビゲーションサーバ２００へ送信する（ステップＳＡ−１）。ここで、出発地は、現在位置情報取得部１０２ａにより取得される現在位置情報に基づく端末装置１００の利用者の現在位置であってもよい。また、出発時刻は、現在時刻であってもよい。また、経路探索条件は、更に、経由地等を含んでいてもよい。また、経路探索条件は、更に、経由時刻を含んでいてもよい。
【００６３】
そして、ナビゲーションサーバ２００の経路探索条件受信部２０２ａは、端末装置１００から送信される少なくとも出発地と目的地と出発時刻または到着時刻とを含む経路探索条件を受信する（ステップＳＡ−２）。
【００６４】
そして、ナビゲーションサーバ２００の案内経路探索部２０２ｂは、経路探索条件受信部２０２ａにより受信された少なくとも出発地と目的地と出発時刻または到着時刻とを含む経路探索条件を満たす出発地から目的地までの経路である案内経路を、ネットワークデータベース２０６ａに記憶されたネットワークデータを用いて、出発時刻または到着時刻に対応するネットワークデータに含まれる交通機関の停留地点における発着時刻に基づき探索し、案内経路データを生成する（ステップＳＡ−３）。ここで、経路探索条件に経由地が更に含まれている場合、案内経路探索部２０２ｂは、経由地を経由した案内経路を探索してもよい。また、経路探索条件に経由地および経由時刻が更に含まれている場合、案内経路探索部２０２ｂは、経由地を経由した案内経路を経由時刻に対応する、ネットワークデータベース２０６ａに記憶されたネットワークデータに含まれる交通機関の停留地点における発着時刻に基づき探索してもよい。
【００６５】
そして、ナビゲーションサーバ２００の制御部２０２は、案内経路探索部２０２ｂにより探索された案内経路上に時刻表を有する交通機関の利用区間があるか否かを判定する（ステップＳＡ−４）。
【００６６】
そして、ナビゲーションサーバ２００の制御部２０２は、ステップＳＡ−４にて案内経路探索部２０２ｂにより探索された案内経路上に時刻表を有する交通機関の利用区間がないと判定した場合（ステップＳＡ−４：Ｎｏ）、処理を後述するステップＳＡ−６へ移行させる。
【００６７】
一方、ナビゲーションサーバ２００の属性情報抽出部２０２ｃは、ステップＳＡ−４にて制御部２０２により案内経路上に時刻表を有する交通機関の利用区間があると判定された場合（ステップＳＡ−４：Ｙｅｓ）、案内経路上の交通機関の乗降地点である停留地点に対応する、停留地点を結ぶ区間毎に対応付けられた交通機関の属性情報をネットワークデータベース２０６ａに記憶された時刻表データから抽出する（ステップＳＡ−５）。ここで、属性情報は、交通機関の種別、および、交通機関の行先情報等の情報であってもよい。
【００６８】
ここで、図４から図７を参照して、従来の時刻表データと、ネットワークデータベース２０６ａに記憶された本願発明の時刻表データと、の差異の一例について説明する。図４は、本実施形態における電車の経路の一例を示す図である。図５は、本実施形態における電車の時刻表データの一例を示す図である。図６は、本実施形態におけるバスの経路の一例を示す図である。図７は、本実施形態におけるバスの時刻表データの一例を示す図である。
【００６９】
まず、図４に示すように、「Ａ袋」発「Ｑ沢」行のＺＺ線の準急が、準急として運行される「Ａ袋」から「Ｊ公園」までの区間を「準急」として、「Ｊ公園」から「Ｑ沢」までの区間を「各停」として、電車に設置された方向幕（例えば、行先表示器等）に表示して運行されている場合、本願発明の電車の時刻表データにおいては、図５左図に示す従来の時刻表データに含まれる路線を分類するための形式的な種別（すなわち、実際の列車運行時の区間毎の表示に対応した種別ではなく、始発時の「準急」という種別）、最終行先情報、路線上の駅の名称、および、電車の発着時刻に加えて、図５右図に示すように、当該準急の停車駅を結ぶ区間毎に対応付けられた電車の種別（すなわち、実際の列車運行時の区間毎の表示に対応した、「Ａ袋」から「Ｊ公園」までの各区間は「準急」、および、「Ｊ公園」から「Ｑ沢」までの各区間は「各停」、という「区間種別」）および当該区間毎に対応付けられた電車の行先情報（すなわち、「区間行先」）を更に含んで構成されている。これにより、従来の時刻表データを用いた経路案内では、「Ｊ公園」より先の区間でも種別を「準急」と表示案内することしかできなかったが、本願発明の時刻表データを用いた経路案内では、「Ｊ公園」より先の区間を乗降地点として案内する場合に、種別を「各停」という実際の列車運行上の表示に対応させた表示案内することができる。
【００７０】
また、図４に示すような列車の運行区間、すなわち、始発地点から終着地点までの間で電車に設置された行先表示器等に表示される列車種別等の属性情報が変更される運行区間において、従来の時刻表データを用いて列車運行上の表示に対応させた経路案内等を行う場合、通過駅のある優等列車区間と各駅停車区間に電車の時刻表を分割し、両者が直通しているという情報を与えることにより、列車運行上の表示に対応させた属性情報等を取得するという方策を採る事も可能だが、本願発明の時刻表データのように簡潔にデータ管理するほうが、データアクセスにかかる処理時間等を節約できる点で優れている。
【００７１】
次に、図６に示すように、「Ａ上水駅」を出発して「Ｆ団地」を経由して「Ａ上水駅」に戻ってくる巡回バスが、「Ａ上水駅」から「団地入口」までの区間の行先を「Ｆ団地」として、「団地入口」から「Ａ上水駅」までの区間の行先を「Ａ上水駅」として、バスに設置された方向幕（例えば、行先表示器等）に表示して運行している場合、本願発明のバスの時刻表データにおいては、図７左図に示す従来の時刻表データに含まれる路線を分類するための形式的な行先情報（すなわち、最終行先情報）、種別、路線上のバス停の名称、および、バスの発着時刻に加えて、図７右図に示すように、当該バスのバス停を結ぶ区間毎に対応付けられたバスの行先情報（すなわち、「Ａ上水駅」から「団地入口」までの区間は「Ｆ団地」、「団地入口」から「Ａ上水駅」までの区間は「Ａ上水駅」という「区間行先」の情報）および当該区間毎に対応付けられたバスの種別（すなわち、「区間種別」）を更に含んで構成されている。これにより、従来の時刻表データを用いた経路案内では、「団地入口」より手前の区間でも行先を最終行先の「Ａ上水駅」と表示案内することしかできなかったが、本願発明の時刻表データを用いた経路案内では、「団地入口」より手前の区間を乗車地点として案内する場合、行先を「Ｆ団地」として実際のバス運行上の表示に対応させた表示案内をすることができる。
【００７２】
図３に戻り、ナビゲーションサーバ２００の経路案内情報送信部２０２ｄは、案内経路探索部２０２ｂにより生成された案内経路データと、属性情報抽出部２０２ｃにより抽出された交通機関の属性情報と、経路探索条件受信部２０２ａにより受信された経路探索条件に含まれる出発時刻または到着時刻に対応する、案内経路探索部２０２ｂにより探索された案内経路上の交通機関の乗降地点である停留地点における発着時刻と、を少なくとも含む経路案内情報を端末装置１００に送信する（ステップＳＡ−６）。また、経路案内情報送信部２０２ｄは、ステップＳＡ−４にて制御部２０２により案内経路上に時刻表を有する交通機関の利用区間がないと判定された場合（ステップＳＡ−４：Ｎｏ）、案内経路探索部２０２ｂにより生成された案内経路データと、経路探索条件受信部２０２ａにより受信された経路探索条件に含まれる出発時刻または到着時刻に対応する、案内経路探索部２０２ｂにより探索された案内経路上の交通機関の乗降地点である停留地点における発着時刻と、を少なくとも含む経路案内情報を端末装置１００に送信する。ここで、経路案内情報は、更に、路線の名称と、交通機関の最終行先情報と、案内経路上の交通機関の乗降地点である停留地点の名称と、を含んでいてもよい。また、経路案内情報は、更に、地図データベース２０６ｂに記憶された、案内経路を含む地図の地図データを含んでいてもよい。また、経路案内情報は、更に、案内データベース２０６ｃに記憶された、案内経路上において出力される案内データ（表示案内データおよび音声案内データ等）を含んでいてもよい。また、経路案内情報は、更に、経路探索条件受信部２０２ａにより受信された経路探索条件に含まれる経由時刻に対応する、案内経路探索部２０２ｂにより探索された案内経路上の交通機関の乗降地点である停留地点における発着時刻を含んでいてもよい。
【００７３】
そして、端末装置１００の経路案内情報受信部１０２ｃは、ナビゲーションサーバ２００から送信される経路案内情報を受信して、経路案内情報ファイル１０６ａに格納する（ステップＳＡ−７）。
【００７４】
そして、端末装置１００の経路案内部１０２ｄは、経路案内情報ファイル１０６ａに記憶された経路案内情報に含まれる案内経路データ、経路案内情報ファイル１０６ａに記憶された経路案内情報に含まれる案内経路上の交通機関の乗降地点である停留地点に対応する交通機関の属性情報（例えば、交通機関の種別、交通機関の行先情報等）、および、経路案内情報ファイル１０６ａに記憶された経路案内情報に含まれる案内経路上の交通機関の乗降地点である停留地点における発着時刻に基づく表示画面を表示部１１４に表示させることにより、経路案内を実行する（ステップＳＡ−８）。ここで、経路案内部１０２ｄは、更に、経路案内情報ファイル１０６ａに記憶された経路案内情報に含まれる路線の名称、経路案内情報ファイル１０６ａに記憶された経路案内情報に含まれる交通機関の最終行先情報、および／または、経路案内情報ファイル１０６ａに記憶された経路案内情報に含まれる案内経路上の交通機関の乗降地点である停留地点の名称に基づく表示画面を表示部１１４に表示させてもよい。また、経路案内部１０２ｄは、利用者により入力部１１６を介して経路案内開始指示が入力された場合、経路案内の実行処理を開始してもよい。例えば、経路案内部１０２ｄは、利用者により入力部１１６を介して経路案内開始指示が入力された場合、経路案内情報ファイル１０６ａに記憶された経路案内情報に含まれる地図データ上に、経路案内情報ファイル１０６ａに記憶された経路案内情報に含まれる案内経路データ、および／または、現在位置情報取得部１０２ａにより所定周期ごとに取得された端末装置１００の利用者の現在位置情報、を重畳した表示画面を表示部１１４に表示させることにより、経路案内を実行してもよい。また、経路案内部１０２ｄは、更に、経路案内情報ファイル１０６ａに記憶された経路案内情報に含まれる案内経路上のガイダンスポイント（分岐点等）における進行方向等に対応付けられたＴＢＴ等の表示案内データの表示画面を表示部１１４に表示させてもよい。また、経路案内部１０２ｄは、経路案内情報を音声出力部１１８を介して出力させてもよい。例えば、経路案内部１０２ｄは、利用者により入力部１１６を介して音声案内開始指示が入力された場合、経路案内情報ファイル１０６ａに記憶された経路案内情報に含まれる案内経路上のガイダンスポイントにおける進行方向等に対応付けられた音声案内データを、音声出力部１１８を介して出力させてもよい。なお、経路案内部１０２ｄによる表示ナビゲーションや音声ナビゲーションの実行処理は、表示ナビゲーションや音声ナビゲーションの開始後、端末装置１００が目的地や経由地やガイダンスポイント等に到達するまで、継続して、および／または、繰り返し行ってもよい。
【００７５】
ここで、図４、図５、および、図８を参照して、本実施形態における表示画面の一例について説明する。図８は、本実施形態における表示画面の一例を示す図である。
【００７６】
図４に示す路線（ＺＺ線）上で、図５左図に示す従来の時刻表データに基づく経路案内情報を用いて経路案内が実行された場合、図８左図に示す端末装置１００の表示部１１４には、当該時刻表データに路線を分類するための形式的な種別（すなわち、実際の列車運行時の区間毎の表示に対応した種別ではなく、始発時の「準急」という種別）しか含まれていないため、図４に示す「各停区間」に乗車地点が存在するとしても、図４に示す「準急区間」に乗車地点が存在する際と同様に、実際の列車運行時に車両（例えば、行先表示器等）に表示される種別と無関係に、列車の種別が「準急」として表示されてしまう（図８左下図）。
【００７７】
一方、図４に示す路線（ＺＺ線）上で、図５右図に示す本願発明の時刻表データに基づく経路案内情報を用いて経路案内が実行された場合、図８右図に示す端末装置１００の表示部１１４には、当該時刻表データに路線上の停車駅を結ぶ区間毎に対応付けられた電車の種別（区間種別）を含んでいるため、実際の列車運行時に車両（例えば、行先表示器等）に表示される種別と同様に、図４に示す「準急区間」に乗車地点が存在する際、列車の種別が「準急」として表示され（図８右上図）、図４に示す「各停区間」に乗車地点が存在する際、列車の種別が「各停」として表示される（図８右下図）。
【００７８】
以上で、第１の実施形態におけるナビゲーションシステムの処理の一例の説明を終える。
【００７９】
［第２の実施形態］
続いて、本発明の第２の実施形態（ナビゲーションサーバ２００（サーバ主導型））について、図９および図１０を参照して以下に説明する。ここで、図９は、第２の実施形態におけるナビゲーションサーバ２００の構成の一例を示すブロック図であり、該構成のうち本発明に関係する部分のみを概念的に示している。また、図１０は、第２の実施形態におけるナビゲーションサーバの処理の一例を示すフローチャートである。
【００８０】
なお、第２の実施形態においては、ナビゲーションサーバ２００にて端末装置１００の表示部１１４に表示させるデータを生成し、これらのデータを端末装置１００へ送信することにより、当該端末装置１００の出力部を機能させている。このように、第２の実施形態は、ナビゲーションサーバ２００にてサーバ主導で処理を行う点がその他の実施形態と異なる。
【００８１】
［ナビゲーションサーバ２００（サーバ主導型）の構成］
まず、第２の実施形態におけるナビゲーションサーバ２００（サーバ主導型）の構成の一例について、図９を参照して以下に説明する。
【００８２】
図９に示すように、本発明の第２の実施形態のナビゲーションサーバ２００は、位置取得部１１２と出力部（表示部１１４および音声出力部１１８）と入力部１１６と制御部１０２とを少なくとも備えた端末装置１００に通信可能に接続された、制御部２０２と記憶部２０６とを少なくとも備える。通信には、一例として、ネットワーク３００を介した有線・無線通信等の遠隔通信等を含む。また、これらナビゲーションサーバ２００および端末装置１００の各部は任意の通信路を介して通信可能に接続されている。
【００８３】
図９において、ナビゲーションサーバ２００は、端末装置１００から送信される少なくとも出発地と目的地とを含む経路探索条件を満たす出発地から目的地までの経路である案内経路を、ネットワークデータを用いて探索し、案内経路データを生成し、探索された案内経路上の交通機関の乗降地点である停留地点に対応する属性情報を記憶部２０６から抽出し、案内経路データと、属性情報と、を少なくとも含む経路案内情報に基づく表示画面を生成し、表示画面を含む経路案内制御情報を端末装置１００へ送信することにより、当該端末装置１００の出力部を介して当該経路案内制御情報を出力させる等の機能を有する。
【００８４】
なお、ナビゲーションサーバ２００における通信制御インターフェース部２０４および記憶部２０６（ネットワークデータベース２０６ａ、地図データベース２０６ｂ、および、案内データベース２０６ｃ等）の機能、また、端末装置１００における位置取得部１１２、表示部１１４、入力部１１６、および、音声出力部１１８の機能は、第１の実施形態と同様であるため説明を省略する。
【００８５】
また、図９において、制御部２０２は、ＯＳ等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、経路探索条件受信部２０２ａ、案内経路探索部２０２ｂ、属性情報抽出部２０２ｃ、現在位置情報取得部２０２ｅ、経路案内表示画面生成部２０２ｆ、および、経路案内制御部２０２ｇを備える。なお、経路探索条件受信部２０２ａ、案内経路探索部２０２ｂ、および、属性情報抽出部２０２ｃの機能は、第１の実施形態と同様であるため説明を省略する。
【００８６】
このうち、現在位置情報取得部２０２ｅは、端末装置１００の利用者の現在位置情報を取得する現在位置情報取得手段である。ここで、現在位置情報取得部２０２ｅは、端末装置１００の位置取得部１１２にて位置発信装置５００から受信した位置情報信号を端末装置１００から受信し、当該位置情報信号から算出した位置情報を端末装置１００の利用者の現在位置情報として取得してもよい。また、現在位置情報取得部２０２ｅは、利用者により端末装置１００の入力部１１６を介して入力された現在位置についての位置座標等の位置情報を受信し、当該位置情報を端末装置１００の利用者の現在位置情報として取得してもよい。
【００８７】
また、経路案内表示画面生成部２０２ｆは、案内経路データと、交通機関の属性情報と、を少なくとも含む経路案内情報に基づく表示画面を生成する経路案内表示画面生成手段である。例えば、経路案内表示画面生成部２０２ｆは、案内経路データと、案内経路上の交通機関の乗降地点である停留地点に対応する交通機関の属性情報と、案内経路上の交通機関の乗降地点である停留地点における発着時刻と、を少なくとも含む経路案内情報に基づく表示画面を生成してもよい。ここで、経路案内情報は、更に、路線の名称、交通機関の最終行先情報、および／または、案内経路上の交通機関の乗降地点である停留地点の名称を含んでいてもよい。また、経路案内情報は、更に、案内データベース２０６ｃに記憶された、案内経路の進行方向等に対応付けられたＴＢＴ等の表示案内データを含んでいてもよい。また、経路案内情報は、更に、現在位置情報取得部２０２ｅにより取得される、端末装置１００の利用者の現在位置情報を含んでいてもよい。また、経路案内情報は、更に、地図データベース２０６ｂに記憶された、案内経路を含む地図の地図データを含んでいてもよい。ここで、経路案内表示画面生成部２０２ｆは、例えば、経路案内情報に含まれる表示案内データの表示画面を生成してもよい。また、経路案内表示画面生成部２０２ｆは、例えば、経路案内情報に含まれる地図データ上に、経路案内情報に含まれる案内経路データ、および／または、経路案内情報に含まれる端末装置１００の利用者の現在位置情報、を重畳した表示画面を生成してもよい。
【００８８】
経路案内制御部２０２ｇは、表示画面を含む経路案内制御情報を端末装置１００へ送信することにより、当該端末装置１００の出力部を介して当該経路案内制御情報を出力させる経路案内制御手段である。ここで、経路案内制御部２０２ｇは、経路案内表示画面生成部２０２ｆにより生成された表示画面を端末装置１００へ送信することにより、当該端末装置１００の表示部１１４に当該表示画面を表示させてもよい。また、経路案内制御部２０２ｇは、更に、案内データベース２０６ｃに記憶された案内経路に対応する音声案内データを端末装置１００へ送信することにより、端末装置１００の音声出力部１１８を介して出力させて音声案内を実行させてもよい。
【００８９】
以上で、第２の実施形態におけるナビゲーションサーバ２００の構成の一例の説明を終える。
【００９０】
［ナビゲーションサーバ２００（サーバ主導型）の処理］
次に、このように構成された第２の実施形態におけるナビゲーションサーバ２００の処理の一例について、以下に図１０を参照して詳細に説明する。
【００９１】
図１０に示すように、まず、端末装置１００の制御部１０２は、利用者により入力部１１６を介して入力された少なくとも出発地と目的地と出発時刻または到着時刻とを含む経路探索条件をナビゲーションサーバ２００へ送信する（ステップＳＢ−１）。ここで、出発地は、位置取得部１１２にて位置発信装置５００から受信した位置情報信号に基づく端末装置１００の利用者の現在位置であってもよい。例えば、制御部１０２は、位置取得部１１２にて位置発信装置５００から受信した位置情報信号から算出した位置情報を端末装置１００の利用者の現在位置情報として取得し、当該現在位置情報に基づく端末装置１００の利用者の現在位置を出発地として設定してもよい。また、制御部１０２は、位置取得部１１２にて位置発信装置５００から受信した位置情報信号をナビゲーションサーバ２００へ送信してもよい。また、出発時刻は、現在時刻であってもよい。また、経路探索条件は、更に、経由地等を含んでいてもよい。また、経路探索条件は、更に、経由時刻を含んでいてもよい。
【００９２】
そして、ナビゲーションサーバ２００の経路探索条件受信部２０２ａは、端末装置１００から送信される少なくとも出発地と目的地と出発時刻または到着時刻とを含む経路探索条件を受信する（ステップＳＢ−２）。ここで、現在位置情報取得部２０２ｅは、経路探索条件受信部２０２ａにより端末装置１００から位置情報信号を受信した場合、当該位置情報信号から算出した位置情報を端末装置１００の利用者の現在位置情報として取得し、当該現在位置情報に基づく端末装置１００の利用者の現在位置を経路探索条件の出発地として設定してもよい。
【００９３】
そして、ナビゲーションサーバ２００の案内経路探索部２０２ｂは、経路探索条件受信部２０２ａにより受信された少なくとも出発地と目的地と出発時刻または到着時刻とを含む経路探索条件を満たす出発地から目的地までの経路である案内経路を、ネットワークデータベース２０６ａに記憶されたネットワークデータを用いて、出発時刻または到着時刻に対応するネットワークデータに含まれる交通機関の停留地点における発着時刻に基づき探索し、案内経路データを生成する（ステップＳＢ−３）。ここで、経路探索条件に経由地が更に含まれている場合、案内経路探索部２０２ｂは、経由地を経由した案内経路を探索してもよい。また、経路探索条件に経由地および経由時刻が更に含まれている場合、案内経路探索部２０２ｂは、経由地を経由した案内経路を経由時刻に対応する、ネットワークデータベース２０６ａに記憶されたネットワークデータに含まれる交通機関の停留地点における発着時刻に基づき探索してもよい。
【００９４】
そして、ナビゲーションサーバ２００の制御部２０２は、案内経路探索部２０２ｂにより探索された案内経路上に時刻表を有する交通機関の利用区間があるか否かを判定する（ステップＳＢ−４）。
【００９５】
そして、ナビゲーションサーバ２００の制御部２０２は、ステップＳＢ−４にて案内経路探索部２０２ｂにより探索された案内経路上に時刻表を有する交通機関の利用区間がないと判定した場合（ステップＳＢ−４：Ｎｏ）、処理を後述するステップＳＢ−６へ移行させる。
【００９６】
一方、ナビゲーションサーバ２００の属性情報抽出部２０２ｃは、ステップＳＢ−４にて制御部２０２により案内経路上に時刻表を有する交通機関の利用区間があると判定された場合（ステップＳＢ−４：Ｙｅｓ）、案内経路上の交通機関の乗降地点である停留地点に対応する、停留地点を結ぶ区間毎に対応付けられた交通機関の属性情報をネットワークデータベース２０６ａに記憶された時刻表データから抽出する（ステップＳＢ−５）。ここで、属性情報は、交通機関の種別、および、交通機関の行先情報等の情報であってもよい。
【００９７】
ナビゲーションサーバ２００の経路案内表示画面生成部２０２ｆは、案内経路探索部２０２ｂにより生成された案内経路データと、属性情報抽出部２０２ｃによりネットワークデータベース２０６ａから抽出された、案内経路上の交通機関の乗降地点である停留地点に対応する交通機関の属性情報（例えば、交通機関の種別、交通機関の行先情報等）と、ネットワークデータベース２０６ａに記憶された、案内経路上の交通機関の乗降地点である停留地点における発着時刻と、を少なくとも含む経路案内情報に基づく表示画面を生成する（ステップＳＢ−６）。また、経路案内表示画面生成部２０２ｆは、ステップＳＢ−４にて制御部２０２により案内経路上に時刻表を有する交通機関の利用区間がないと判定された場合（ステップＳＢ−４：Ｎｏ）、案内経路探索部２０２ｂにより生成された案内経路データと、ネットワークデータベース２０６ａに記憶された、案内経路上の交通機関の乗降地点である停留地点における発着時刻と、を少なくとも含む経路案内情報に基づく表示画面を生成する。ここで、経路案内情報は、更に、路線の名称、交通機関の最終行先情報、および／または、案内経路上の交通機関の乗降地点である停留地点の名称を含んでいてもよい。また、経路案内表示画面生成部２０２ｆは、例えば、経路案内情報に含まれる案内経路上のガイダンスポイント（分岐点等）における進行方向等に対応付けられたＴＢＴ等の表示案内データの表示画面を生成してもよい。ここで、経路案内情報は、案内データベース２０６ｃに記憶された、案内経路の進行方向等に対応付けられたＴＢＴ等の表示案内データであってもよい。また、経路案内表示画面生成部２０２ｆは、例えば、経路案内情報に含まれる地図データ上に、経路案内情報に含まれる案内経路データ、および／または、経路案内情報に含まれる端末装置１００の利用者の現在位置情報、を重畳した表示画面を生成してもよい。ここで、経路案内情報は、現在位置情報取得部２０２ｅにより所定周期ごとに取得される、端末装置１００の利用者の現在位置情報であってもよい。また、経路案内情報は、地図データベース２０６ｂに記憶された、案内経路を含む地図の地図データであってもよい。
【００９８】
そして、ナビゲーションサーバ２００の経路案内制御部２０２ｇは、経路案内表示画面生成部２０２ｆにより生成された表示画面を端末装置１００へ送信することにより、当該端末装置１００の表示部１１４に当該表示画面を表示させる（ステップＳＢ−７）。ここで、経路案内制御部２０２ｇは、例えば、利用者により端末装置１００の入力部１１６を介して入力された経路案内開始要求等を受信した場合、経路案内表示画面生成部２０２ｆにより生成された表示画面を端末装置１００へ送信することにより、当該端末装置１００の表示部１１４に当該表示画面を表示させてもよい。また、経路案内制御部２０２ｇは、例えば、利用者により入力部１１６を介して入力された音声ナビゲーション開始要求等を受信した場合、案内データベース２０６ｃに記憶された案内経路上の分岐点等の案内地点における進行方向等に対応付けられた音声案内データを端末装置１００へ送信することにより、当該端末装置１００の音声出力部１１８を介して出力させてもよい。なお、経路案内制御部２０２ｇによる経路案内の表示制御や音声出力制御の実行処理は、経路案内や音声ナビゲーションの開始後、端末装置１００が目的地や経由地やガイダンスポイント等に到達するまで、継続して、および／または、繰り返し行ってもよい。
【００９９】
以上で、第２の実施形態におけるナビゲーションサーバ２００の処理の一例の説明を終える。
【０１００】
［第３の実施形態］
続いて、本発明の第３の実施形態（ナビゲーション装置４００（スタンドアローン型））について、図１１および図１２を参照して以下に説明する。ここで、図１１は、第３の実施形態におけるナビゲーション装置４００の構成の一例を示すブロック図であり、該構成のうち本発明に関係する部分のみを概念的に示している。また、図１２は、第３の実施形態におけるナビゲーション装置４００の処理の一例を示すフローチャートである。
【０１０１】
なお、第３の実施形態においては、全ての機能をナビゲーション装置４００に集約し、ナビゲーションサーバ２００に接続することなく、少なくとも出発地と目的地とを含む経路探索条件を満たす出発地から目的地までの案内経路を、ネットワークデータを用いて探索し、案内経路データを生成し、案内経路上の交通機関の乗降地点である停留地点に対応する属性情報を記憶部４０６から抽出し、案内経路データと、属性情報と、を少なくとも含む経路案内情報を出力部を介して出力させることにより、経路案内を実行する。このように、第３の実施形態は、ナビゲーション装置４００がスタンドアローン型に構成され単独で処理を行う点がその他の実施形態と異なる。
【０１０２】
［ナビゲーション装置４００（スタンドアローン型）の構成］
まず、第３の実施形態におけるナビゲーション装置４００（スタンドアローン型）の構成の一例について、図１１を参照して以下に説明する。
【０１０３】
図１１に示すように、本発明の第３の実施形態のナビゲーション装置４００は、位置取得部４１２と出力部（表示部４１４および音声出力部４１８）と入力部４１６と制御部４０２と記憶部４０６とを少なくとも備える。これらナビゲーション装置４００の各部は任意の通信路を介して通信可能に接続されてもよい。ナビゲーション装置４００は、例えば、ＰＮＤ（Ｐｏｒｔａｂｌｅ  Ｎａｖｉｇａｔｉｏｎ  Ｄｅｖｉｃｅ）等の各種ナビゲーション端末、ノート型のパーソナルコンピュータ等の各種情報処理装置、または、携帯電話やＰＨＳやＰＤＡ等の携帯端末装置等であってもよい。
【０１０４】
図１１において、入出力制御インターフェース部４０８、位置取得部４１２、表示部４１４、入力部４１６、および、音声出力部４１８の各機能は、第１の実施形態と同様であるため説明を省略する。また、記憶部４０６の各部（ネットワークデータベース４０６ａ、地図データベース４０６ｂ、および、案内データベース４０６ｃ等）についても、ナビゲーションサーバ２００ではなくナビゲーション装置４００に備えられている点を除き、各機能が第１の実施形態と同様であるため説明を省略する。
【０１０５】
また、制御部４０２の各部（現在位置情報取得部４０２ａ〜経路案内部４０２ｄ等）については、本実施形態のナビゲーション装置４００がスタンドアローン型であり、制御部４０２が各送信部を備えていない点を除き、各機能は第１の実施形態と基本的に同様である。
【０１０６】
また、図１１において、制御部４０２は、ＯＳ等の制御プログラムや、各種の処理手順等を規定したプログラム、および、所要データを格納するための内部メモリを有する。そして、制御部４０２は、これらのプログラム等により、種々の処理を実行するための情報処理を行う。制御部４０２は、機能概念的に、現在位置情報取得部４０２ａ、案内経路探索部４０２ｂ、属性情報抽出部４０２ｃ、および、経路案内部４０２ｄを備える。
【０１０７】
このうち、現在位置情報取得部４０２ａは、ナビゲーション装置４００の利用者の現在位置情報を取得する現在位置情報取得手段である。ここで、現在位置情報取得部４０２ａは、ナビゲーション装置４００の利用者の現在位置情報を所定周期ごと（例えば、１秒ごと、３分ごと等）に取得してもよい。また、現在位置情報取得部４０２ａは、位置取得部４１２にて位置発信装置５００から受信した位置情報信号から算出した位置情報をナビゲーション装置４００の利用者の現在位置情報として取得してもよい。また、現在位置情報取得部４０２ａは、更に、位置取得部４１２の方位センサ等にて検出したナビゲーション装置４００の進行方向等の方位情報をナビゲーション装置４００の利用者の現在位置情報として取得してもよい。また、現在位置情報取得部４０２ａは、利用者により入力部４１６を介して入力された現在位置についての位置座標等の位置情報をナビゲーション装置４００の利用者の現在位置情報として取得してもよい。ここで、利用者により入力部４１６を介して入力された現在位置は、利用者が現実に存在する位置であってもよく、利用者により任意に選択された仮想の現在位置（一例として、東京にいる利用者により選択された大阪の駅や空港等の任意の地点）であってもよい。例えば、現在位置情報取得部４０２ａは、入力部４１６を介して利用者に表示部４１４に表示された地図データの表示画面上で指定（例えば、タッチパネル式の表示部４１４での指定操作等）させた座標をナビゲーション装置４００の利用者の現在位置情報として取得してもよい。また、現在位置情報取得部４０２ａは、更に、入力部４１６を介して利用者に表示部４１４に表示された地図データの表示画面上で指定させた方位情報をナビゲーション装置４００の利用者の現在位置情報として取得してもよい。
【０１０８】
また、案内経路探索部４０２ｂは、少なくとも出発地と目的地とを含む経路探索条件を満たす出発地から目的地までの案内経路を、ネットワークデータベース４０６ａに記憶されたネットワークデータを用いて探索し、案内経路データを生成する案内経路探索手段である。ここで、案内経路探索部４０２ｂは、少なくとも出発地と目的地と出発時刻または到着時刻とを含む経路探索条件を満たす出発地から目的地までの経路である案内経路を、ネットワークデータベース４０６ａに記憶されたネットワークデータを用いて、出発時刻または到着時刻に対応するネットワークデータに含まれる交通機関の停留地点における発着時刻に基づき探索し、案内経路データを生成してもよい。ここで、出発地は、現在位置情報取得部４０２ａにより取得される現在位置情報に基づくナビゲーション装置４００の利用者の現在位置であってもよい。また、出発時刻は、現在時刻であってもよい。また、経路探索条件は、ナビゲーション装置４００の利用者により入力部４１６を介して入力されたものであってもよい。また、経路探索条件は、更に、経由地等を含んでいてもよい。また、経路探索条件は、更に、経由時刻を含んでいてもよい。また、経路探索条件に経由地が更に含まれている場合、案内経路探索部４０２ｂは、経由地を経由した案内経路を探索してもよい。また、経路探索条件に経由地および経由時刻が更に含まれている場合、案内経路探索部４０２ｂは、経由地を経由した案内経路を経由時刻に対応する、ネットワークデータベース４０６ａに記憶されたネットワークデータに含まれる交通機関の停留地点における発着時刻に基づき探索してもよい。
【０１０９】
また、属性情報抽出部４０２ｃは、案内経路上の交通機関の乗降地点である停留地点に対応する交通機関の属性情報をネットワークデータベース４０６ａから抽出する属性情報抽出手段である。
【０１１０】
また、経路案内部４０２ｄは、案内経路データと、属性情報抽出部４０２ｃにより抽出された属性情報と、を少なくとも含む経路案内情報を出力部を介して出力させることにより、経路案内を実行する経路案内手段である。ここで、経路案内部４０２ｄは、経路案内情報に基づく表示画面を表示部４１４に表示させてもよい。例えば、経路案内部４０２ｄは、案内経路データと、案内経路上の交通機関の乗降地点である停留地点に対応する交通機関の属性情報（例えば、交通機関の種別、交通機関の行先情報等）と、案内経路上の交通機関の乗降地点である停留地点における発着時刻と、を少なくとも含む経路案内情報に基づく表示画面を表示部４１４に表示させてもよい。ここで、経路案内情報は、更に、ネットワークデータベース４０６ａに記憶された、路線の名称、交通機関の最終行先情報、および／または、案内経路上の交通機関の乗降地点である停留地点の名称を含んでいてもよい。また、経路案内情報は、地図データベース４０６ｂに記憶された、案内経路を含む地図の地図データを含んでいてもよい。また、経路案内情報は、案内データベース４０６ｃに記憶された、案内経路の進行方向等に対応付けられたＴＢＴ等の表示案内データを含んでいてもよい。また、経路案内情報は、案内データベース４０６ｃに記憶された、案内データに含まれる案内経路上の分岐点等における進行方向等に対応付けられた音声案内データを含んでいてもよい。また、経路案内情報は、現在位置情報取得部４０２ａにより取得される、ナビゲーション装置４００の利用者の現在位置情報を含んでいてもよい。ここで、経路案内部４０２ｄは、例えば、経路案内情報に含まれる地図データ上に、経路案内情報に含まれる案内経路データ、および／または、経路案内情報に含まれるナビゲーション装置４００の利用者の現在位置情報、を重畳した表示画面を表示部４１４に表示させてもよい。また、経路案内部４０２ｄは、経路案内情報を音声出力部４１８を介して出力させてもよい。ここで、経路案内部４０２ｄは、例えば、経路案内情報に含まれる音声案内データを、音声出力部４１８を介して出力させてもよい。
【０１１１】
以上で、第３の実施形態におけるナビゲーション装置４００の構成の一例の説明を終える。
【０１１２】
［ナビゲーション装置４００（スタンドアローン型）の処理］
次に、このように構成された第３の実施形態におけるナビゲーション装置４００の処理の一例について、以下に図１２を参照して詳細に説明する。
【０１１３】
図１２に示すように、まず、案内経路探索部４０２ｂは、利用者により入力部４１６を介して入力された少なくとも出発地と目的地と出発時刻または到着時刻とを含む経路探索条件を満たす出発地から目的地までの案内経路を、ネットワークデータベース４０６ａに記憶されたネットワークデータを用いて、出発時刻または到着時刻に対応するネットワークデータに含まれる交通機関の停留地点における発着時刻に基づき探索し、案内経路データを生成する（ステップＳＣ−１）。ここで、出発地は、現在位置情報取得部４０２ａにより取得される現在位置情報に基づくナビゲーション装置４００の利用者の現在位置であってもよい。また、出発時刻は、現在時刻であってもよい。また、経路探索条件は、更に、経由地等を含んでいてもよい。また、経路探索条件は、更に、経由時刻を含んでいてもよい。ここで、経路探索条件に経由地が更に含まれている場合、案内経路探索部４０２ｂは、経由地を経由した案内経路を探索してもよい。また、経路探索条件に経由地および経由時刻が更に含まれている場合、案内経路探索部４０２ｂは、経由地を経由した案内経路を経由時刻に対応する、ネットワークデータベース４０６ａに記憶されたネットワークデータに含まれる交通機関の停留地点における発着時刻に基づき探索してもよい。
【０１１４】
そして、制御部４０２は、案内経路探索部４０２ｂにより探索された案内経路上に時刻表を有する交通機関の利用区間があるか否かを判定する（ステップＳＣ−２）。
【０１１５】
そして、制御部４０２は、ステップＳＣ−２にて案内経路探索部４０２ｂにより探索された案内経路上に時刻表を有する交通機関の利用区間がないと判定した場合（ステップＳＣ−２：Ｎｏ）、処理を後述するステップＳＣ−４へ移行させる。
【０１１６】
一方、属性情報抽出部４０２ｃは、ステップＳＣ−２にて制御部４０２により案内経路上に時刻表を有する交通機関の利用区間があると判定された場合（ステップＳＣ−２：Ｙｅｓ）、案内経路上の交通機関の乗降地点である停留地点に対応する、停留地点を結ぶ区間毎に対応付けられた交通機関の属性情報をネットワークデータベース４０６ａに記憶された時刻表データから抽出する（ステップＳＣ−３）。ここで、属性情報は、交通機関の種別、および、交通機関の行先情報等の情報であってもよい。
【０１１７】
そして、経路案内部４０２ｄは、案内経路探索部４０２ｂにより生成された案内経路データと、属性情報抽出部４０２ｃによりネットワークデータベース４０６ａから抽出された、案内経路上の交通機関の乗降地点である停留地点に対応する交通機関の属性情報（例えば、交通機関の種別、交通機関の行先情報等）と、ネットワークデータベース４０６ａに記憶された、案内経路上の交通機関の乗降地点である停留地点における発着時刻と、を少なくとも含む経路案内情報に基づく表示画面を表示部４１４に表示させることにより、経路案内を実行する（ステップＳＣ−４）。また、経路案内部４０２ｄは、ステップＳＣ−２にて制御部４０２により案内経路上に時刻表を有する交通機関の利用区間がないと判定された場合（ステップＳＣ−２：Ｎｏ）、案内経路探索部４０２ｂにより生成された案内経路データと、ネットワークデータベース４０６ａに記憶された、案内経路上の交通機関の乗降地点である停留地点における発着時刻と、を少なくとも含む経路案内情報に基づく表示画面を表示部４１４に表示させることにより、経路案内を実行する。ここで、経路案内情報は、更に、ネットワークデータベース４０６ａに記憶された、路線の名称、交通機関の最終行先情報、および／または、案内経路上の交通機関の乗降地点である停留地点の名称を含んでいてもよい。また、経路案内情報は、地図データベース４０６ｂに記憶された、案内経路を含む地図の地図データを含んでいてもよい。また、経路案内情報は、案内データベース４０６ｃに記憶された、案内経路の進行方向等に対応付けられたＴＢＴ等の表示案内データを含んでいてもよい。また、経路案内情報は、案内データベース４０６ｃに記憶された、案内データに含まれる案内経路上の分岐点等における進行方向等に対応付けられた音声案内データを含んでいてもよい。また、経路案内情報は、現在位置情報取得部４０２ａにより所定周期毎に取得される、ナビゲーション装置４００の利用者の現在位置情報を含んでいてもよい。ここで、経路案内部４０２ｄは、例えば、利用者により入力部４１６を介して経路案内開始指示が入力された場合、経路案内情報に含まれる地図データ上に、経路案内情報に含まれる案内経路データ、および／または、経路案内情報に含まれるナビゲーション装置４００の利用者の現在位置情報、を重畳した表示画面を表示部４１４に表示させてもよい。また、経路案内部４０２ｄは、経路案内情報を音声出力部４１８を介して出力させてもよい。ここで、経路案内部４０２ｄは、例えば、利用者により入力部４１６を介して音声案内開始指示が入力された場合、経路案内情報に含まれる音声案内データを、音声出力部４１８を介して出力させてもよい。なお、経路案内部４０２ｄによる表示ナビゲーションや音声ナビゲーションの実行処理は、表示ナビゲーションや音声ナビゲーションの開始後、ナビゲーション装置４００が目的地や経由地やガイダンスポイント等に到達するまで、継続して、および／または、繰り返し行ってもよい。
【０１１８】
以上で、第３の実施形態におけるナビゲーション装置４００の処理の一例の説明を終える。
【０１１９】
［他の実施の形態］
さて、これまで本発明の実施形態について説明したが、本発明は、上述した実施の形態以外にも、特許請求の範囲に記載した技術的思想の範囲内において種々の異なる実施の形態にて実施されてよいものである。
【０１２０】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１２１】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０１２２】
また、端末装置１００、ナビゲーションサーバ２００、および、ナビゲーション装置４００に関して、図示の各構成要素は機能概念的なものであり、必ずしも物理的に図示の如く構成されていることを要しない。
【０１２３】
例えば、端末装置１００、ナビゲーションサーバ２００、および、ナビゲーション装置４００の各装置が備える処理機能、特に制御部１０２、制御部２０２、および、制御部４０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現することができ、あるいは、ワイヤードロジックによるハードウェアとして実現することも可能である。尚、プログラムは、後述する記録媒体に記録されており、必要に応じて端末装置１００、ナビゲーションサーバ２００、および、ナビゲーション装置４００に機械的に読み取られる。すなわち、ＲＯＭまたはＨＤ等の記憶部１０６、記憶部２０６、および、記憶部４０６等は、ＯＳとして協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１２４】
また、このコンピュータプログラムは、端末装置１００、ナビゲーションサーバ２００、および、ナビゲーション装置４００に対して任意のネットワーク３００を介して接続されたアプリケーションプログラムサーバに記憶されていてもよく、必要に応じてその全部または一部をダウンロードすることも可能である。
【０１２５】
また、本発明に係るプログラムを、コンピュータ読み取り可能な記録媒体に格納してもよく、また、プログラム製品として構成することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ、Ｂｌｕ−ｒａｙ  Ｄｉｓｃ等の任意の「可搬用の物理媒体」、あるいは、ＬＡＮ、ＷＡＮ、インターネットに代表されるネットワーク３００を介してプログラムを送信する場合の通信回線や搬送波のように、短期にプログラムを保持する「通信媒体」を含むものとする。
【０１２６】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１２７】
記憶部１０６、記憶部２０６、ならびに、記憶部４０６に格納される各種のデータベース等（経路案内情報ファイル１０６ａ、ネットワークデータベース２０６ａ、地図データベース２０６ｂ、案内データベース２０６ｃ、ネットワークデータベース４０６ａ、地図データベース４０６ｂ、および、案内データベース４０６ｃ等）は、ＲＡＭ、ＲＯＭ等のメモリ装置、ＨＤ等の固定ディスク装置、フレキシブルディスク、光ディスク等のストレージ手段であり、各種処理やウェブサイト提供に用いる各種のプログラムやテーブルやデータベースやウェブページ用ファイル等を格納する。
【０１２８】
また、ナビゲーションサーバ２００は、既知のパーソナルコンピュータ、ワークステーション等の情報処理装置として構成してもよく、また、該情報処理装置に任意の周辺装置を接続して構成してもよい。また、ナビゲーションサーバ２００は、該情報処理装置に本発明の方法を実現させるソフトウェア（プログラム、データ等を含む）を実装することにより実現してもよい。
【０１２９】
更に、装置の分散・統合の具体的形態は図示するものに限られず、その全部または一部を、各種の付加等に応じて、または、機能負荷に応じて、任意の単位で機能的または物理的に分散・統合して構成することができる。
【産業上の利用可能性】
【０１３０】
以上詳述したように、本発明によれば、実際の交通機関にて表示される種別や行先等の表示内容と一致させた当該交通機関の属性情報を保持しておくことで、交通機関の始発地点から終着地点までの間の区間で当該表示内容が変化する場合、交通機関の表示内容とユーザが閲覧する画面に表示される表示内容を一致させることができるナビゲーションシステム、端末装置、ナビゲーションサーバ、ナビゲーション装置、ナビゲーション方法、および、プログラムを提供することができるので、ナビゲーションを支援する情報機器や情報処理分野などの様々な分野において極めて有用である。
【符号の説明】
【０１３１】
１００  端末装置
１０２  制御部
１０２ａ  現在位置情報取得部
１０２ｂ  経路探索条件送信部
１０２ｃ  経路案内情報受信部
１０２ｄ  経路案内部
１０４  通信制御インターフェース部
１０６  記憶部
１０６ａ  経路案内情報ファイル
１０８  入出力制御インターフェース部
１１２  位置取得部
１１４  表示部
１１６  入力部
１１８  音声出力部
２００  ナビゲーションサーバ
２０２  制御部
２０２ａ  経路探索条件受信部
２０２ｂ  案内経路探索部
２０２ｃ  属性情報抽出部
２０２ｄ  経路案内情報送信部
２０２ｅ  現在位置情報取得部
２０２ｆ  経路案内表示画面生成部
２０２ｇ  経路案内制御部
２０４  通信制御インターフェース部
２０６  記憶部
２０６ａ  ネットワークデータベース
２０６ｂ  地図データベース
２０６ｃ  案内データベース
３００  ネットワーク
４００  ナビゲーション装置
４０２  制御部
４０２ａ  現在位置情報取得部
４０２ｂ  案内経路探索部
４０２ｃ  属性情報抽出部
４０２ｄ  経路案内部
４０６  記憶部
４０６ａ  ネットワークデータベース
４０６ｂ  地図データベース
４０６ｃ  案内データベース
４０８  入出力制御インターフェース部
４１２  位置取得部
４１４  表示部
４１６  入力部
４１８  音声出力部
５００  位置発信装置
【図１】
0005566725.tif 000002
【図２】
0005566725.tif 000003
【図３】
0005566725.tif 000004
【図４】
0005566725.tif 000005
【図５】
0005566725.tif 000006
【図６】
0005566725.tif 000007
【図７】
0005566725.tif 000008
【図８】
0005566725.tif 000009
【図９】
0005566725.tif 000010
【図１０】
0005566725.tif 000011
【図１１】
0005566725.tif 000012
【図１２】
0005566725.tif 000013